(57)【特許請求の範囲】
【請求項１】
インストールされているソフトウェアに基づき動作する複数の映像機器と、
前記複数の映像機器をネットワーク接続する回線と
を有する映像システムにおいて、
前記複数の映像機器のそれぞれが、
自身にインストールされているソフトウェアを示すインストールソフト情報と、
前記自身にインストールされているソフトウェアのバージョンを示すバージョン情報と、
前記自身にインストールされているソフトウェアが対応する映像機器の機種を示す機種情報と、
前記自身にインストールされているソフトウェアの前記ソフトウェア情報及び前記バージョン情報に変更が無いかを参照して検知するための参照先の映像機器を特定する参照先情報と、
前記自身にインストールされているソフトウェアの前記ソフトウェア情報及び前記バージョン情報に変更が有ったことを通知する通知先の映像機器を特定する通知先情報と、
ダウンロード先から前記自身に対してダウンロードを行うための前記ダウンロード先を特定するダウンロード先情報と
を保持する保持手段を有し、
前記複数の映像機器のうちの特定の映像機器は、前記参照先の映像機器である他の映像機器の前記ソフトウェア情報及び前記バージョン情報を参照し、この参照の結果、前記特定の映像機器にインストールされているソフトウェアに関する前記ソフトウェア情報及び前記バージョン情報が、前記他の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の映像機器にインストールされているソフトウェアに関する前記ソフトウェア情報及び前記バージョン情報に一致させるように、前記ダウンロード先情報が特定するダウンロード先からの前記回線を通したダウンロードによる前記特定の映像機器に対するソフトウェアのインストールを実行する制御手段を有する
ことを特徴とする映像システム。
【請求項２】
前記複数の映像機器のうちの更に他の特定の映像機器は、前記他の特定の映像機器の前記ソフトウェア情報及び前記バージョン情報を参照し、この参照の結果、前記更に他の特定の映像機器にインストールされているソフトウェアに関する前記ソフトウェア情報及び前記バージョン情報が、前記他の特定の映像機器にインストールされているソフトウェアに関する前記ソフトウェア情報及び前記バージョン情報と異なることが検知されたときに、前記更に他の特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先情報が特定するダウンロード先からの前記回線を通したダウンロードによる前記他の特定の映像機器に対するソフトウェアのインストールを実行する他の制御手段を有する
ことを特徴とする請求項１に記載の映像システム。
【請求項３】
前記複数の映像機器のうちの更に他の特定の映像機器は、前記特定の映像機器の前記ソフトウェア情報及び前記バージョン情報を参照し、この参照の結果、前記更に他の特定の映像機器にインストールされているソフトウェアに関する前記ソフトウェア情報及び前記バージョン情報が、前記特定の映像機器にインストールされているソフトウェアに関する前記ソフトウェア情報及び前記バージョン情報と異なることが検知されたときに、前記更に他の特定の映像機器にインストールされているソフトウェアに関する前記ソフトウェア情報及び前記バージョン情報を前記特定の映像機器にインストールされているソフトウェアに関する前記ソフトウェア情報及び前記バージョン情報に一致させるように、前記ダウンロード先情報が特定するダウンロード先からの前記回線を通したダウンロードによる前記更に他の特定の映像機器に対するソフトウェアのインストールを実行する他の制御手段を有する
ことを特徴とする請求項１に記載の映像システム。
【請求項４】
前記特定の映像機器の前記制御手段は、前記他の特定の映像機器の前記ソフトウェア情報及び前記バージョン情報の参照を、所定の時間間隔毎に実行することを特徴とする請求項１から３までのいずれかに記載の映像システム。
【請求項５】
前記更に他の特定の映像機器の前記他の制御手段は、前記他の特定の映像機器の前記ソフトウェア情報及び前記バージョン情報の参照を、所定の時間間隔毎に実行することを特徴とする請求項２に記載の映像システム。
【請求項６】
前記更に他の特定の映像機器の前記他の制御手段は、前記特定の映像機器の前記ソフトウェア情報及び前記バージョン情報の参照を、所定の時間間隔毎に実行することを特徴とする請求項３に記載の映像システム。
【請求項７】
前記他の特定の映像機器は、前記他の特定の映像機器の前記ソフトウェア情報及び前記バージョン情報に変更があったときに、前記他の特定の映像機器が、自身が保持する前記通知先情報で指定された映像機器に、前記他の特定の映像機器の前記ソフトウェア情報及び前記バージョン情報に変更があったことを通知する通知手段を有する
ことを特徴とする請求項１から３までのいずれかに記載の映像システム。
【請求項８】
前記他の特定の映像機器は、前記他の特定の映像機器の前記ソフトウェア情報及び前記バージョン情報に変更があったときに、前記他の特定の映像機器が、ネットワーク接続されている全ての映像機器に対して、前記他の特定の映像機器の前記ソフトウェア情報及び前記バージョン情報に変更があったことを通知する通知手段を有することを特徴とする請求項１から３までのいずれかに記載の映像システム。
【請求項９】
前記特定の映像機器は、前記特定の映像機器の前記ソフトウェア情報及び前記バージョン情報に変更があったときに、前記特定の映像機器が、自身が保持する前記通知先情報で指定された映像機器に、前記特定の映像機器の前記ソフトウェア情報及び前記バージョン情報に変更があったことを通知する通知手段を有する
ことを特徴とする請求項１から３までのいずれかに記載の映像システム。
【請求項１０】
前記特定の映像機器は、前記特定の映像機器の前記ソフトウェア情報及び前記バージョン情報に変更があったときに、前記特定の映像機器が、ネットワーク接続されている全ての映像機器に対して、前記特定の映像機器の前記ソフトウェア情報及び前記バージョン情報に変更があったことを通知する通知手段を有することを特徴とする請求項１から３までのいずれかに記載の映像システム。
【請求項１１】
前記他の特定の映像機器が、
記録媒体読取部と、
前記他の特定の映像機器へのソフトウェアのインストールを、前記記録媒体読取部により記録媒体から読み取られたソフトウェアを用いて実行する手段と
を有することを特徴とする請求項１から１０までのいずれかに記載の映像システム。
【請求項１２】
前記特定の映像機器が保持する前記ダウンロード先情報が特定するダウンロード先が、前記他の特定の映像機器であることを特徴とする請求項１に記載の映像システム。
【請求項１３】
前記更に他の特定の映像機器が保持する前記ダウンロード先情報が特定するダウンロード先が、前記他の特定の映像機器であることを特徴とする請求項１又は１２のいずれかに記載の映像システム。
【請求項１４】
前記更に他の特定の映像機器が保持する前記ダウンロード先情報が特定するダウンロード先が、前記特定の映像機器であることを特徴とする請求項１又は１２のいずれかに記載の映像システム。
【請求項１５】
前記回線に接続され、前記複数の映像機器の動作を制御するホスト装置を有し、
前記他の特定の映像機器が保持する前記ダウンロード先情報が特定するダウンロード先が、前記ホスト装置であることを特徴とする請求項１に記載の映像システム。
【請求項１６】
前記特定の映像機器及び前記更に他の特定の映像機器が保持する前記ダウンロード先情報が特定するダウンロード先が、前記ホスト装置であることを特徴とする請求項１５に記載の映像システム。
【請求項１７】
前記回線に接続され、前記複数の映像機器の動作を制御するホスト装置を有し、
前記特定の映像機器及び前記更に他の特定の映像機器が保持する前記ダウンロード先情報が特定するダウンロード先が、前記ホスト装置であることを特徴とする請求項１に記載の映像システム。
【請求項１８】
前記複数の映像機器のそれぞれに対するソフトウェアのインストールは、インストール対象のソフトウェアを初めてインストールする新規インストール及び既にインストールされているソフトウェアの全部又は一部を書き換える更新インストールのいずれをも含むことを特徴とする請求項１から１７までのいずれかに記載の映像システム。
【請求項１９】
回線を通して他の映像機器にネットワーク接続するためのネットワークインターフェースを有し、インストールされているソフトウェアに基づき動作する映像機器において、
自身にインストールされているソフトウェアを示すインストールソフト情報と、
前記自身にインストールされているソフトウェアのバージョンを示すバージョン情報と、
前記自身にインストールされているソフトウェアが対応する映像機器の機種を示す機種情報と、
前記自身にインストールされているソフトウェアの前記ソフトウェア情報及び前記バージョン情報に変更が無いかを参照して検知するための参照先の映像機器を特定する参照先情報と、
前記自身にインストールされているソフトウェアの前記ソフトウェア情報及び前記バージョン情報に変更が有ったことを通知する通知先の映像機器を特定する通知先情報と、
ダウンロード先から前記自身に対してダウンロードを行うための前記ダウンロード先を特定するダウンロード先情報と
を保持する保持手段と、
前記参照先の映像機器である他の映像機器の前記ソフトウェア情報及び前記バージョン情報を参照し、この参照の結果、自身にインストールされているソフトウェアに関する前記ソフトウェア情報及び前記バージョン情報が前記参照先情報で指定された他の映像機器にインストールされているソフトウェアに関する前記ソフトウェア情報及び前記バージョン情報と異なることが検知されたときに、自身にインストールされているソフトウェアに関する前記ソフトウェア情報及び前記バージョン情報を前記参照先情報で指定された他の映像機器にインストールされているソフトウェアに関する前記ソフトウェア情報及び前記バージョン情報に一致させるように、前記ダウンロード先情報が特定するダウンロード先からの前記回線を通したダウンロードによるソフトウェアのインストールを実行する制御手段と
を有することを特徴とする映像機器。
【請求項２０】
自身の前記ソフトウェア情報及び前記バージョン情報に変更があったときに、前記通知先情報で指定された他の映像機器に前記ソフトウェア情報及び前記バージョン情報の変更があったことを通知する通知手段を有する
ことを特徴とする請求項１９に記載の映像機器。
【請求項２１】
前記映像機器に対するソフトウェアのインストールは、インストール対象のソフトウェアを初めてインストールする新規インストール及び既にインストールされているソフトウェアの全部又は一部を書き換える更新インストールのいずれをも含むことを特徴とする請求項１９又は２０のいずれかに記載の映像機器。
【請求項２２】
映像の記録をする記録手段及び再生をする再生手段のうちの少なくとも一方を有する映像記録再生装置であることを特徴とする請求項１９から２１までのいずれかに記載の映像機器。
【請求項２３】
インストールされているソフトウェアに基づき動作する複数の映像機器と、前記複数の映像機器をネットワーク接続する回線とを有し、
前記複数の映像機器のそれぞれが、自身にインストールされているソフトウェアを示すインストールソフト情報と、前記自身にインストールされているソフトウェアのバージョンを示すバージョン情報と、前記自身にインストールされているソフトウェアが対応する映像機器の機種を示す機種情報と、前記自身にインストールされているソフトウェアの前記ソフトウェア情報及び前記バージョン情報に変更が無いかを参照して検知するための参照先の映像機器を特定する参照先情報と、前記自身にインストールされているソフトウェアの前記ソフトウェア情報及び前記バージョン情報に変更が有ったことを通知する通知先の映像機器を特定する通知先情報と、ダウンロード先から前記自身に対してダウンロードを行うための前記ダウンロード先を特定するダウンロード先情報とを保持する映像システムにおけるソフトウェアのインストール方法であって、
前記複数の映像機器のうちの特定の映像機器が前記複数の映像機器のうちの他の特定の映像機器の前記ソフトウェア情報及び前記バージョン情報を参照し、
前記特定の映像機器にインストールされているソフトウェアに関する前記ソフトウェア情報及び前記バージョン情報が前記他の特定の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先を特定するダウンロード先からの前記回線を通したダウンロードによる前記特定の映像機器に対するソフトウェアのインストールを実行する
ことを特徴とするソフトウェアのインストール方法。
【請求項２４】
インストールされているソフトウェアに基づき動作する複数の映像機器と、前記複数の映像機器をネットワーク接続する回線とを有し、
前記複数の映像機器のそれぞれが、自身にインストールされているソフトウェアを示すインストールソフト情報と、前記自身にインストールされているソフトウェアのバージョンを示すバージョン情報と、前記自身にインストールされているソフトウェアが対応する映像機器の機種を示す機種情報と、前記自身にインストールされているソフトウェアの前記ソフトウェア情報及び前記バージョン情報に変更が無いかを参照して検知するための参照先の映像機器を特定する参照先情報と、前記自身にインストールされているソフトウェアの前記ソフトウェア情報及び前記バージョン情報に変更が有ったことを通知する通知先の映像機器を特定する通知先情報と、ダウンロード先から前記自身に対してダウンロードを行うための前記ダウンロード先を特定するダウンロード先情報とを保持する映像システムにおいて、前記特定の映像機器にソフトウェアをインストールする処理を実行させるプログラムを記録した記録媒体であって、
前記処理が、
前記特定の映像機器が前記他の特定の映像機器の前記ソフトウェア情報及び前記バージョン情報を参照する処理と、
前記特定の映像機器にインストールされているソフトウェアに関する前記ソフトウェア情報及び前記バージョン情報が前記他の特定の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先を特定するダウンロード先からの前記回線を通したダウンロードによる前記特定の映像機器に対するソフトウェアのインストールを実行する処理と
を含むことを特徴とする記録媒体。
【請求項２５】
インストールされているソフトウェアに基づき動作する複数の映像機器と、前記複数の映像機器をネットワーク接続する回線とを有し、
前記複数の映像機器のそれぞれが、自身にインストールされているソフトウェアを示すインストールソフト情報と、前記自身にインストールされているソフトウェアのバージョンを示すバージョン情報と、前記自身にインストールされているソフトウェアが対応する映像機器の機種を示す機種情報と、前記自身にインストールされているソフトウェアの前記ソフトウェア情報及び前記バージョン情報に変更が無いかを参照して検知するための参照先の映像機器を特定する参照先情報と、前記自身にインストールされているソフトウェアの前記ソフトウェア情報及び前記バージョン情報に変更が有ったことを通知する通知先の映像機器を特定する通知先情報と、ダウンロード先から前記自身に対してダウンロードを行うための前記ダウンロード先を特定するダウンロード先情報とを保持する映像システムにおいて、前記特定の映像機器にソフトウェアをインストールする処理を実行させるプログラムであって、
前記処理が、
前記特定の映像機器が前記他の特定の映像機器の前記ソフトウェア情報及び前記バージョン情報を参照する処理と、
前記特定の映像機器にインストールされているソフトウェアに関する前記ソフトウェア情報及び前記バージョン情報が前記他の特定の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先を特定するダウンロード先からの前記回線を通したダウンロードによる前記特定の映像機器に対するソフトウェアのインストールを実行する処理と
を含むことを特徴とするプログラム。
【発明の詳細な説明】
【０００１】
【発明の属する技術分野】
本発明は、複数の映像機器をネットワーク接続することによって構成される映像システム（例えば、映像監視システム）及びこのシステムを構成する映像機器（例えば、映像記録再生装置）に関し、特に、各映像機器に対するソフトウェアのインストール（新規インストール及び更新インストールを含む。）に関するものである。
【０００２】
【従来の技術】
図３６は、タイムラプス記録再生装置１及びパーソナルコンピュータ（ＰＣ）１８をネットワーク接続することによって構成された従来の映像監視システム（映像システム）の構成を概略的に示すブロック図である。この映像監視システムでは、複数台のカメラ１６で撮影された映像をタイムラプス記録再生装置１によって連続的（例えば、１秒間に３０フレーム）に又は間欠的（例えば、数秒間に１フレーム或いは数分間に１フレーム）に記録する。撮影中の映像又は記録された映像は、外部モニタ１７の全画面に又は分割画面（例えば、４分割、９分割、又は１６分割等）で表示される。また、撮影中の映像又は記録された映像は、ネットワークケーブル（回線）１９を通してＰＣ１８にも転送され、表示される。
【０００３】
タイムラプス記録再生装置１は、インストールされたソフトウェアに基づいて動作する。ソフトウェアに基づく動作（機能）には、カメラ映像の動きを検出したときに記録動作を開始するモーションディテクタ機能、多種類の表示機能、多種類の記録機能等のような監視体制の効率化及び広範囲な監視の実現のための各種機能が含まれる。タイムラプス記録再生装置１へのソフトウェアのインストールは、ソフトウェアを記録した記録媒体（メディア）をタイムラプス記録再生装置１の読取部により読み取らせることによって、又は、回線１９を通したＰＣ１８からのダウンロードによって行われる。
【０００４】
【発明が解決しようとする課題】
しかしながら、複数のタイムラプス記録再生装置を含む映像監視システムにおいてソフトウェアをインストールする場合には、ソフトウェアのインストール作業を複数のタイムラプス記録再生装置のそれぞれについて１台ずつ繰り返さなければならなかった。このため、タイムラプス記録再生装置の台数の多い大規模な映像監視システムにおけるソフトウェアのインストールは、管理者にとっては時間及び労力を要する煩わしい作業であるという問題があった。
【０００５】
そこで、本発明は上記したような従来技術の課題を解決するためになされたものであり、その目的とするところは、ネットワーク接続された複数の映像機器のそれぞれに対するソフトウェアのインストール作業の負担を軽減することができる映像システム、映像機器、ソフトウェアのインストール方法、この方法を実行するプログラム、及びこのプログラムを記憶した記録媒体を提供することにある。
【０００６】
【課題を解決するための手段】
請求項１に係る映像システムは、インストールされているソフトウェアに基づき動作する複数の映像機器と、前記複数の映像機器をネットワーク接続する回線とを有する映像システムであって、前記複数の映像機器のそれぞれが、
自身にインストールされているソフトウェアを示すインストールソフト情報と、
前記自身にインストールされているソフトウェアのバージョンを示すバージョン情報と、
前記自身にインストールされているソフトウェアが対応する映像機器の機種を示す機種情報と、
前記自身にインストールされているソフトウェアの前記ソフトウェア情報及び前記バージョン情報に変更が無いかを参照して検知するための参照先の映像機器を特定する参照先情報と、
前記自身にインストールされているソフトウェアの前記ソフトウェア情報及び前記バージョン情報に変更が有ったことを通知する通知先の映像機器を特定する通知先情報と、
ダウンロード先から前記自身に対してダウンロードを行うための前記ダウンロード先を特定するダウンロード先情報と
を保持する保持手段を有し、
前記複数の映像機器のうちの特定の映像機器は、前記参照先の映像機器である他の映像機器の前記ソフトウェア情報及び前記バージョン情報を参照し、この参照の結果、前記特定の映像機器にインストールされているソフトウェアに関する前記ソフトウェア情報及び前記バージョン情報が、前記他の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の映像機器にインストールされているソフトウェアに関する前記ソフトウェア情報及び前記バージョン情報に一致させるように、前記ダウンロード先情報が特定するダウンロード先からの前記回線を通したダウンロードによる前記特定の映像機器に対するソフトウェアのインストールを実行する制御手段を有する
ことを特徴としている。
【０００７】
また、請求項２に係る映像システムは、前記複数の映像機器のうちの更に他の特定の映像機器は、前記他の特定の映像機器の前記ソフトウェア情報及び前記バージョン情報を参照し、この参照の結果、前記更に他の特定の映像機器にインストールされているソフトウェアに関する前記ソフトウェア情報及び前記バージョン情報が、前記他の特定の映像機器にインストールされているソフトウェアに関する前記ソフトウェア情報及び前記バージョン情報と異なることが検知されたときに、前記更に他の特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先情報が特定するダウンロード先からの前記回線を通したダウンロードによる前記他の特定の映像機器に対するソフトウェアのインストールを実行する他の制御手段を有することを特徴としている。
【０００８】
また、請求項３に係る映像システムは、前記複数の映像機器のうちの更に他の特定の映像機器は、前記特定の映像機器の前記ソフトウェア情報及び前記バージョン情報を参照し、この参照の結果、前記更に他の特定の映像機器にインストールされているソフトウェアに関する前記ソフトウェア情報及び前記バージョン情報が、前記特定の映像機器にインストールされているソフトウェアに関する前記ソフトウェア情報及び前記バージョン情報と異なることが検知されたときに、前記更に他の特定の映像機器にインストールされているソフトウェアに関する前記ソフトウェア情報及び前記バージョン情報を前記特定の映像機器にインストールされているソフトウェアに関する前記ソフトウェア情報及び前記バージョン情報に一致させるように、前記ダウンロード先情報が特定するダウンロード先からの前記回線を通したダウンロードによる前記更に他の特定の映像機器に対するソフトウェアのインストールを実行する他の制御手段を有することを特徴としている。
【０００９】
また、請求項４に係る映像システムは、前記特定の映像機器の前記制御手段は、前記他の特定の映像機器の前記ソフトウェア情報及び前記バージョン情報の参照を、所定の時間間隔毎に実行することを特徴としている。
【００１０】
また、請求項５に係る映像システムは、前記更に他の特定の映像機器の前記他の制御手段は、前記他の特定の映像機器の前記ソフトウェア情報及び前記バージョン情報の参照を、所定の時間間隔毎に実行することを特徴としている。
【００１１】
また、請求項６に係る映像システムは、前記更に他の特定の映像機器の前記他の制御手段は、前記特定の映像機器の前記ソフトウェア情報及び前記バージョン情報の参照を、所定の時間間隔毎に実行することを特徴としている。
【００１２】
また、請求項７に係る映像システムは、前記他の特定の映像機器は、前記他の特定の映像機器の前記ソフトウェア情報及び前記バージョン情報に変更があったときに、前記他の特定の映像機器が、自身が保持する前記通知先情報で指定された映像機器に、前記他の特定の映像機器の前記ソフトウェア情報及び前記バージョン情報に変更があったことを通知する通知手段を有することを特徴としている。
【００１３】
また、請求項８に係る映像システムは、前記他の特定の映像機器は、前記他の特定の映像機器の前記ソフトウェア情報及び前記バージョン情報に変更があったときに、前記他の特定の映像機器が、ネットワーク接続されている全ての映像機器に対して、前記他の特定の映像機器の前記ソフトウェア情報及び前記バージョン情報に変更があったことを通知する通知手段を有することを通知することを特徴としている。
【００１４】
また、請求項９に係る映像システムは、前記特定の映像機器は、前記特定の映像機器の前記ソフトウェア情報及び前記バージョン情報に変更があったときに、前記特定の映像機器が、自身が保持する前記通知先情報で指定された映像機器に、前記特定の映像機器の前記ソフトウェア情報及び前記バージョン情報に変更があったことを通知する通知手段を有することを特徴としている。
【００１５】
また、請求項１０に係る映像システムは、前記特定の映像機器は、前記特定の映像機器の前記ソフトウェア情報及び前記バージョン情報に変更があったときに、前記特定の映像機器が、ネットワーク接続されている全ての映像機器に対して、前記特定の映像機器の前記ソフトウェア情報及び前記バージョン情報に変更があったことを通知する通知手段を有することを特徴としている。
【００１６】
また、請求項１１に係る映像システムは、前記他の特定の映像機器が、記録媒体読取部を有し、前記他の特定の映像機器へのソフトウェアのインストールは、前記記録媒体読取部により記録媒体から読み取られたソフトウェアを用いて実行されることを特徴としている。
【００１７】
また、請求項１１に係る映像システムは、前記他の特定の映像機器が、記録媒体読取部と、前記他の特定の映像機器へのソフトウェアのインストールを、前記記録媒体読取部により記録媒体から読み取られたソフトウェアを用いて実行する手段とを有することを特徴としている。
【００１８】
また、請求項１２に係る映像システムは、前記特定の映像機器が保持する前記ダウンロード先情報が特定するダウンロード先が、前記他の特定の映像機器であることを特徴としている。
【００１９】
また、請求項１３に係る映像システムは、前記更に他の特定の映像機器が保持する前記ダウンロード先情報が特定するダウンロード先が、前記他の特定の映像機器であることを特徴としている。
【００２０】
また、請求項１４に係る映像システムは、前記更に他の特定の映像機器が保持する前記ダウンロード先情報が特定するダウンロード先が、前記特定の映像機器であることを特徴としている。
【００２１】
また、請求項１５に係る映像システムは、前記回線に接続され、前記複数の映像機器の動作を制御するホスト装置を有し、前記他の特定の映像機器が保持する前記ダウンロード先情報が特定するダウンロード先が、前記ホスト装置であることを特徴としている。
【００２２】
また、請求項１６に係る映像システムは、前記特定の映像機器及び前記更に他の特定の映像機器が保持する前記ダウンロード先情報が特定するダウンロード先が、前記ホスト装置であることを特徴としている。
【００２３】
また、請求項１７に係る映像システムは、前記回線に接続され、前記複数の映像機器の動作を制御するホスト装置を有し、前記特定の映像機器及び前記更に他の特定の映像機器が保持する前記ダウンロード先情報が特定するダウンロード先が、前記ホスト装置であることを特徴としている。
【００２４】
また、請求項１８に係る映像システムは、前記複数の映像機器のそれぞれに対するソフトウェアのインストールは、インストール対象のソフトウェアを初めてインストールする新規インストール及び既にインストールされているソフトウェアの全部又は一部を書き換える更新インストールのいずれをも含むことを特徴としている。
【００２８】
また、請求項１９に係る映像機器は、回線を通して他の映像機器にネットワーク接続するためのネットワークインターフェースを有し、インストールされているソフトウェアに基づき動作する映像機器であって、
自身にインストールされているソフトウェアを示すインストールソフト情報と、
前記自身にインストールされているソフトウェアのバージョンを示すバージョン情報と、
前記自身にインストールされているソフトウェアが対応する映像機器の機種を示す機種情報と、
前記自身にインストールされているソフトウェアの前記ソフトウェア情報及び前記バージョン情報に変更が無いかを参照して検知するための参照先の映像機器を特定する参照先情報と、
前記自身にインストールされているソフトウェアの前記ソフトウェア情報及び前記バージョン情報に変更が有ったことを通知する通知先の映像機器を特定する通知先情報と、
ダウンロード先から前記自身に対してダウンロードを行うための前記ダウンロード先を特定するダウンロード先情報と
を保持する保持手段と、
前記参照先の映像機器である他の映像機器の前記ソフトウェア情報及び前記バージョン情報を参照し、この参照の結果、自身にインストールされているソフトウェアに関する前記ソフトウェア情報及び前記バージョン情報が前記参照先情報で指定された他の映像機器にインストールされているソフトウェアに関する前記ソフトウェア情報及び前記バージョン情報と異なることが検知されたときに、自身にインストールされているソフトウェアに関する前記ソフトウェア情報及び前記バージョン情報を前記参照先情報で指定された他の映像機器にインストールされているソフトウェアに関する前記ソフトウェア情報及び前記バージョン情報に一致させるように、前記ダウンロード先情報が特定するダウンロード先からの前記回線を通したダウンロードによるソフトウェアのインストールを実行する制御手段と
を有することを特徴としている。
【００２９】
また、請求項２０に係る映像機器は、自身の前記ソフトウェア情報及び前記バージョン情報に変更があったときに、前記通知先情報で指定された他の映像機器に前記ソフトウェア情報及び前記バージョン情報の変更があったことを通知する通知手段を有することを特徴としている。
【００３０】
また、請求項２１に係る映像機器は、前記映像機器に対するソフトウェアのインストールは、インストール対象のソフトウェアを初めてインストールする新規インストール及び既にインストールされているソフトウェアの全部又は一部を書き換える更新インストールのいずれをも含むことを特徴としている。
【００３１】
また、請求項２２に係る映像機器は、映像の記録をする記録手段及び再生をする再生手段のうちの少なくとも一方を有する映像記録再生装置であることを特徴としている。
【００３５】
また、請求項２３に係るソフトウェアのインストール方法は、インストールされているソフトウェアに基づき動作する複数の映像機器と、前記複数の映像機器をネットワーク接続する回線とを有し、前記複数の映像機器のそれぞれが、自身にインストールされているソフトウェアを示すインストールソフト情報と、前記自身にインストールされているソフトウェアのバージョンを示すバージョン情報と、前記自身にインストールされているソフトウェアが対応する映像機器の機種を示す機種情報と、前記自身にインストールされているソフトウェアの前記ソフトウェア情報及び前記バージョン情報に変更が無いかを参照して検知するための参照先の映像機器を特定する参照先情報と、前記自身にインストールされているソフトウェアの前記ソフトウェア情報及び前記バージョン情報に変更が有ったことを通知する通知先の映像機器を特定する通知先情報と、ダウンロード先から前記自身に対してダウンロードを行うための前記ダウンロード先を特定するダウンロード先情報とを保持する映像システムにおけるソフトウェアのインストール方法であって、前記複数の映像機器のうちの特定の映像機器が前記複数の映像機器のうちの他の特定の映像機器の前記ソフトウェア情報及び前記バージョン情報を参照し、前記特定の映像機器にインストールされているソフトウェアに関する前記ソフトウェア情報及び前記バージョン情報が前記他の特定の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先を特定するダウンロード先からの前記回線を通したダウンロードによる前記特定の映像機器に対するソフトウェアのインストールを実行することを特徴としている。
【００５４】
また、請求項２４に係る記録媒体は、インストールされているソフトウェアに基づき動作する複数の映像機器と、前記複数の映像機器をネットワーク接続する回線とを有し、
前記複数の映像機器のそれぞれが、自身にインストールされているソフトウェアを示すインストールソフト情報と、前記自身にインストールされているソフトウェアのバージョンを示すバージョン情報と、前記自身にインストールされているソフトウェアが対応する映像機器の機種を示す機種情報と、前記自身にインストールされているソフトウェアの前記ソフトウェア情報及び前記バージョン情報に変更が無いかを参照して検知するための参照先の映像機器を特定する参照先情報と、前記自身にインストールされているソフトウェアの前記ソフトウェア情報及び前記バージョン情報に変更が有ったことを通知する通知先の映像機器を特定する通知先情報と、ダウンロード先から前記自身に対してダウンロードを行うための前記ダウンロード先を特定するダウンロード先情報とを保持する映像システムにおいて、前記特定の映像機器にソフトウェアをインストールする処理を実行させるプログラムを記録した記録媒体であって、前記処理が、前記特定の映像機器が前記他の特定の映像機器の前記ソフトウェア情報及び前記バージョン情報を参照する処理と、前記特定の映像機器にインストールされているソフトウェアに関する前記ソフトウェア情報及び前記バージョン情報が前記他の特定の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先を特定するダウンロード先からの前記回線を通したダウンロードによる前記特定の映像機器に対するソフトウェアのインストールを実行する処理とを含むことを特徴としている。
【００５７】
また、請求項２５に係るプログラムは、インストールされているソフトウェアに基づき動作する複数の映像機器と、前記複数の映像機器をネットワーク接続する回線とを有し、
前記複数の映像機器のそれぞれが、自身にインストールされているソフトウェアを示すインストールソフト情報と、前記自身にインストールされているソフトウェアのバージョンを示すバージョン情報と、前記自身にインストールされているソフトウェアが対応する映像機器の機種を示す機種情報と、前記自身にインストールされているソフトウェアの前記ソフトウェア情報及び前記バージョン情報に変更が無いかを参照して検知するための参照先の映像機器を特定する参照先情報と、前記自身にインストールされているソフトウェアの前記ソフトウェア情報及び前記バージョン情報に変更が有ったことを通知する通知先の映像機器を特定する通知先情報と、ダウンロード先から前記自身に対してダウンロードを行うための前記ダウンロード先を特定するダウンロード先情報とを保持する映像システムにおいて、前記特定の映像機器にソフトウェアをインストールする処理を実行させるプログラムであって、前記処理が、前記特定の映像機器が前記他の特定の映像機器の前記ソフトウェア情報及び前記バージョン情報を参照する処理と、前記特定の映像機器にインストールされているソフトウェアに関する前記ソフトウェア情報及び前記バージョン情報が前記他の特定の映像機器にインストールされているソフトウェアに関する前記ソフトウェア情報及び前記バージョン情報と異なることが検知されたときに、前記特定の映像機器にインストールされているソフトウェアに関する前記ソフトウェア情報及び前記バージョン情報を前記他の特定の映像機器にインストールされているソフトウェアに関する前記ソフトウェア情報及び前記バージョン情報に一致させるように、前記ダウンロード先を特定するダウンロード先からの前記回線を通したダウンロードによる前記特定の映像機器に対するソフトウェアのインストールを実行する処理とを含むことを特徴としている。
【００６０】
【発明の実施の形態】
実施の形態１．
図１は、本発明の実施の形態１に係る映像システムの構成を概略的に示すブロック図である。
【００６１】
図１に示されるように、実施の形態１に係る映像システムは、複数の映像機器と、これら複数の映像機器をネットワーク接続する回線１００とを有する。図１には、複数の映像機器のうちの、第１の映像機器１１１及び第２の映像機器１１２を示す。複数の映像機器のそれぞれは、例えば、映像の記録及び再生のうちの少なくとも一方の機能を持つ映像記録再生装置であり、映像システムは、例えば、映像監視システムである。回線１００は、例えば、イーサネット（登録商標）技術を用いたローカルエリアネットワークである。回線１００は、有線及び無線のいずれの方式であってもよい。
【００６２】
第１の映像機器１１１は、ハードディスク装置や半導体メモリ等からなる記憶装置を内蔵しており、自身にインストールされているソフトウェアに基づき動作する。また、第２の映像機器１１２は、ハードディスク装置や半導体メモリ等からなる記憶装置を内蔵しており、自身にインストールされているソフトウェアに基づき動作する。第１の映像機器１１１及び第２の映像機器１１２には、インストールされたソフトウェアに基づいて動作する全ての機器が含まれる。また、第１の映像機器１１１及び第２の映像機器１１２は、通常、同じ機種であるが、必ずしも同じ機種である必要はない。また、第１の映像機器１１１及び第２の映像機器１１２には、通常、同じソフトウェアがインストールされるが、第１の映像機器１１１及び第２の映像機器１１２の機種が異なる場合や要求される性能が異なる場合には、異なるソフトウェアをインストールしてもよい。
【００６３】
第１の映像機器１１１は、その記憶装置に、インストールされているソフトウェアに関する管理情報（例えば、インストールされているソフトウェアを特定するバージョン情報）を保持している。同様に、第２の映像機器１１２は、その記憶装置に、インストールされているソフトウェアに関する管理情報（例えば、インストールされているソフトウェアを特定するバージョン情報）を保持している。また、第２の映像機器１１２は、その記録装置に、管理情報の参照先が第１の映像機器１１１であることを示す第１の参照先情報（映像機器同士を連携させる連携情報の一つ。）を保持している。ここで、「参照先情報」とは、自身にインストールされているソフトウェアに関する管理情報の比較対象とすべき管理情報を保持している他の映像機器を特定する情報である。第２の映像機器１１２は、所定の時間間隔毎に、第１の参照先情報で指定された参照先である第１の映像機器１１１の管理情報を検知する。なお、管理情報に、ソフトウェアが適用可能な映像機器の機種情報、ソフトウェアがインストールされていない場合にはそのことを示す情報等の他の情報を含ませてもよい。
【００６４】
第２の映像機器１１２は、第１の映像機器１１１にインストールされているソフトウェアに関する管理情報の参照の結果、第２の映像機器１１２にインストールされているソフトウェアに関する管理情報が第１の映像機器１１１にインストールされているソフトウェアに関する管理情報と異なることが検知されたときに、第２の映像機器１１２にインストールされているソフトウェアに関する管理情報を第１の映像機器１１１にインストールされているソフトウェアに関する管理情報に一致させるように、回線１００を通したダウンロードによる第２の映像機器１１２に対するソフトウェアのインストールが実行される。インストールは、インストール対象のソフトウェアを初めてインストールする新規インストール及び既にインストールされているソフトウェアの全部又は一部を書き換える更新インストールのいずれをも含む。このインストールは、通常、自動的に実行されるが、インストールの開始時期を管理者の操作によって決める構成としてもよい。実施の形態１においては、ダウンロードは、第１の映像機器１１１に格納されているソフトウェアを用いて実行される。なお、実施の形態１において、第２の映像機器１１２は、自身に対して回線１００を通したダウンロードを行うダウンロード先を特定するダウンロード先情報を保持している。実施の形態１においては、第２の映像機器１１２が保持するダウンロード先情報が特定するダウンロード先は第１の映像機器１１１である。
【００６５】
次に、実施の形態１に係る映像システムの動作を説明する。インストール用ソフトウェア（セットアッププログラムであるインストーラを含む場合もある。）を保持した記録媒体１０１を用いて第１の映像機器１１１にソフトウェアをインストールする。このインストールにより、第１の映像機器１１１にインストールされているソフトウェアに関する管理情報も更新される。この後に、第２の映像機器１１２が、第１の映像機器１１１にインストールされているソフトウェアに関する管理情報を参照すると、第１の映像機器１１１にインストールされているソフトウェアに関する管理情報が第２の映像機器１１２にインストールされているソフトウェアに関する管理情報と異なっていることを検知する。このとき、第２の映像機器１１２は、第２の映像機器１１２にインストールされているソフトウェアに関する管理情報を第１の映像機器１１１にインストールされているソフトウェアに関する管理情報に一致させるように、第１の映像機器１１１からのダウンロードにより、第２の映像機器１１２にソフトウェアをインストールする。
【００６６】
以上説明したように、実施の形態１に係る映像システムによれば、第１の映像機器１１１に対して記録媒体１０１を用いてソフトウェアをインストールすれば、第２の映像機器１１２には、自動的に、ソフトウェアがインストールされるので、映像システムを構成する映像機器が多数ある場合であっても、ソフトウェアのインストール作業の負担を軽減することができる。言い換えれば、管理者は、ソフトウェアのインストールに関して、映像システム全体があたかも１台の機器であるかのように扱うことができる。
【００６７】
なお、第１の映像機器１１１及び第２の映像機器１１２は、上記したようなソフトウェアの自動的なインストール機能を、プログラムを保持した記録媒体から又はプログラムをダウンロードすることによって、取得することができる。
【００６８】
実施の形態２．
図２は、本発明の実施の形態２に係る映像システムの構成を概略的に示すブロック図である。図２において、図１の構成と同一又は対応する構成には、同じ符号を付す。
【００６９】
図２に示されるように、実施の形態２に係る映像システムは、複数の映像機器と、パーソナルコンピュータ（ＰＣ）１０２と、これらをネットワーク接続する回線１００とを有する。図２には、複数の映像機器のうちの、第１の映像機器１１１及び第２の映像機器１１２を示す。第１の映像機器１１１及び第２の映像機器１１２の構成は、上記実施の形態１（図１）のものと同じである。なお、実施の形態２において、第２の映像機器１１２は、ソフトウェアのダウンロード先が第１の映像機器１１１であることを示すダウンロード先情報を記憶している。
【００７０】
次に、実施の形態２に係る映像システムの動作を説明する。先ず、インストール用ソフトウェア（インストーラを含む場合もある。）を保持した記録媒体１０１が読取部に挿入されたＰＣ１０２を用いて、又は、既にインストール用ソフトウェアを保持したＰＣ１０２を用いて、第１の映像機器１１１にソフトウェアをインストールする。このインストールにより、第１の映像機器１１１にインストールされているソフトウェアに関する管理情報も更新される。この後に、第２の映像機器１１２が、第１の映像機器１１１にインストールされているソフトウェアに関する管理情報を参照すると、第１の映像機器１１１にインストールされているソフトウェアに関する管理情報が第２の映像機器１１２にインストールされているソフトウェアに関する管理情報と異なっていることを検知する。このとき、第２の映像機器１１２は、第２の映像機器１１２にインストールされているソフトウェアに関する管理情報を第１の映像機器１１１にインストールされているソフトウェアに関する管理情報に一致させるように、第１の映像機器１１１からのダウンロードにより、第２の映像機器１１２にソフトウェアをインストールする。
【００７１】
以上説明したように、実施の形態２に係る映像システムによれば、第１の映像機器１１１に対してＰＣ１０２を用いてソフトウェアをインストールすれば、第２の映像機器１１２には、自動的に、ソフトウェアがインストールされるので、映像システムを構成する映像機器が多数ある場合であっても、ソフトウェアのインストール作業の負担を軽減することができる。言い換えれば、管理者は、ソフトウェアのインストールに関して、映像システム全体があたかも１台の機器であるかのように扱うことができる。
【００７２】
なお、実施の形態２において、上記以外の点は、上記実施の形態１と同じである。
【００７３】
実施の形態３．
図３は、本発明の実施の形態３に係る映像システムの構成を概略的に示すブロック図である。図３において、図２の構成と同一又は対応する構成には、同じ符号を付す。
【００７４】
実施の形態３に係る映像システムは、第２の映像機器１１２に対するソフトウェアのインストールを、ＰＣ１０２からのダウンロードによって実行する点が、上記第１の映像機器１１１からのダウンロードによって実行する実施の形態２に係る映像システムと相違する。即ち、実施の形態３に係る映像システムにおいては、第２の映像機器１１２は、ソフトウェアのダウンロード先がＰＣ１０２であることを示すダウンロード先情報を記憶している。
【００７５】
なお、実施の形態３において、上記以外の点は、上記実施の形態１又は２と同じである。
【００７６】
実施の形態４．
図４は、本発明の実施の形態４に係る映像システムの構成を概略的に示すブロック図である。図４において、図１の構成と同一又は対応する構成には、同じ符号を付す。
【００７７】
実施の形態４に係る映像システムは、複数の映像機器と、これら複数の映像機器をネットワーク接続する回線１００とを有する。図４には、複数の映像機器のうちの、第１の映像機器１１１、第２の映像機器１１２、及び第３の映像機器１１３を示す。複数の映像機器のそれぞれは、例えば、映像の記録及び再生のうちの少なくとも一方の機能を持つ映像記録再生装置であり、映像システムは、例えば、映像監視システムである。
【００７８】
第３の映像機器１１３は、ハードディスク装置や半導体メモリ等からなる記憶装置を内蔵しており、自身にインストールされているソフトウェアに基づき動作する。第１から第３までの映像機器１１１〜１１３は、通常、同じ機種であるが、必ずしも同じ機種である必要はない。また、第１から第３までの映像機器１１１〜１１３には、通常、同じソフトウェアがインストールされるが、第１から第３までの映像機器１１１〜１１３の機種が異なる場合や要求される性能が異なる場合には、異なるソフトウェアをインストールしてもよい。
【００７９】
第３の映像機器１１３は、その記憶装置に、インストールされているソフトウェアに関する管理情報（例えば、インストールされているソフトウェアを特定するバージョン情報）を保持している。また、第３の映像機器１１３は、その記録装置に、管理情報の参照先が第１の映像機器１１１であることを示す第２の参照先情報（映像機器同士を連携させる連携情報の一つ。）を保持している。第３の映像機器１１３は、所定の時間間隔毎に、第２の参照先情報で指定された参照先である第１の映像機器１１１の管理情報を検知する。なお、管理情報に、ソフトウェアが適用可能な映像機器の機種情報、ソフトウェアがインストールされていない場合にはそのことを示す情報等の他の情報を含ませてもよい。
【００８０】
第３の映像機器１１３は、第１の映像機器１１１にインストールされているソフトウェアに関する管理情報の参照の結果、第３の映像機器１１３にインストールされているソフトウェアに関する管理情報が第１の映像機器１１１にインストールされているソフトウェアに関する管理情報と異なることが検知されたときに、第３の映像機器１１３にインストールされているソフトウェアに関する管理情報を第１の映像機器１１１にインストールされているソフトウェアに関する管理情報に一致させるように、回線１００を通したダウンロードによる第３の映像機器１１３に対するソフトウェアのインストールが実行される。インストールは、インストール対象のソフトウェアを初めてインストールする新規インストール及び既にインストールされているソフトウェアの全部又は一部を書き換える更新インストールのいずれをも含む。このインストールは、通常、自動的に実行されるが、インストールの開始時期を管理者の操作によって決める構成としてもよい。実施の形態４においては、ダウンロードは、第１の映像機器１１１に格納されているソフトウェアを用いて実行される。なお、実施の形態４においては、第３の映像機器１１３が保持するダウンロード先情報が特定するダウンロード先は第１の映像機器１１１である。
【００８１】
次に、実施の形態４に係る映像システムの動作を説明する。インストール用ソフトウェア（セットアッププログラムであるインストーラを含む場合もある。）を保持した記録媒体１０１を用いて第１の映像機器１１１にソフトウェアをインストールする。このインストールにより、第１の映像機器１１１にインストールされているソフトウェアに関する管理情報も更新される。この後に、第２の映像機器１１２が、第１の映像機器１１１にインストールされているソフトウェアに関する管理情報を参照すると、第１の映像機器１１１にインストールされているソフトウェアに関する管理情報が第２の映像機器１１２にインストールされているソフトウェアに関する管理情報と異なっていることを検知する。このとき、第２の映像機器１１２は、第２の映像機器１１２にインストールされているソフトウェアに関する管理情報を第１の映像機器１１１にインストールされているソフトウェアに関する管理情報に一致させるように、第１の映像機器１１１からのダウンロードにより、第２の映像機器１１２にソフトウェアをインストールする。
【００８２】
同様に、第３の映像機器１１３が、第１の映像機器１１１にインストールされているソフトウェアに関する管理情報を参照すると、第１の映像機器１１１にインストールされているソフトウェアに関する管理情報が第３の映像機器１１３にインストールされているソフトウェアに関する管理情報と異なっていることを検知する。このとき、第３の映像機器１１３は、第３の映像機器１１３にインストールされているソフトウェアに関する管理情報を第１の映像機器１１１にインストールされているソフトウェアに関する管理情報に一致させるように、第１の映像機器１１１からのダウンロードにより、第３の映像機器１１３にソフトウェアをインストールする。
【００８３】
以上説明したように、実施の形態４に係る映像システムによれば、第１の映像機器１１１に対して記録媒体１０１を用いてソフトウェアのインストールを実行すれば、第２の映像機器１１２及び第３の映像機器１１３には、自動的に、ソフトウェアがインストールされるので、映像システムを構成する映像機器が多数ある場合であっても、ソフトウェアのインストール作業の負担を軽減することができる。言い換えれば、管理者は、ソフトウェアのインストールに関して、映像システム全体があたかも１台の機器であるかのように扱うことができる。
【００８４】
なお、実施の形態４において、上記以外の点は上記実施の形態１から３までのいずれかと同じである。
【００８５】
また、第３の映像機器１１３は、上記したようなソフトウェアの自動的なインストール機能を、プログラムを保持した記録媒体から又はプログラムをダウンロードすることによって、取得することができる。
【００８６】
実施の形態５．
図５は、本発明の実施の形態５に係る映像システムの構成を概略的に示すブロック図である。図５において、図４の構成と同一又は対応する構成には、同じ符号を付す。
【００８７】
実施の形態５に係る映像システムにおいては、第３の映像機器１１３は、第３の映像機器１１３にインストールされているソフトウェアに関する管理情報が第２の映像機器１１２にインストールされているソフトウェアに関する管理情報と異なることが検知されたときに、第３の映像機器１１３にインストールされているソフトウェアに関する管理情報を第２の映像機器１１２にインストールされているソフトウェアに関する管理情報に一致させるように、回線１００を通したダウンロードにより、第３の映像機器１１３にソフトウェアをインストールする。このインストールは、通常、自動的に実行されるが、インストールの開始時期を管理者の操作によって決める構成としてもよい。実施の形態５に係る映像システムにおいては、第３の映像機器１１３へのダウンロードは、第２の映像機器１１２に格納されているソフトウェアを用いて実行される。即ち、実施の形態５において、第３の映像機器１１３は、新たなソフトウェアのダウンロード先が第２の映像機器１１２であることを示すダウンロード先情報を記憶している。
【００８８】
なお、実施の形態５において、上記以外の点は上記実施の形態１から４までのいずれかと同じである。
【００８９】
実施の形態６．
図６は、本発明の実施の形態６に係る映像システムの構成を概略的に示すブロック図である。図６において、図４の構成と同一又は対応する構成には、同じ符号を付す。
【００９０】
実施の形態６に係る映像システムは、第２の映像機器１１２に対するソフトウェアのインストール及び第３の映像機器１１３に対するソフトウェアのインストールを、インストール用ソフトウェア（インストーラを含む場合もある。）を保持した記録媒体１０１が読取部に挿入されたＰＣ１０２を用いて、又は、既にインストール用ソフトウェアを保持したＰＣ１０２を用いて実行する点が、上記実施の形態４（図４）の映像システムと相違する。即ち、実施の形態６に係る映像システムにおいて、第２の映像機器１１２及び第３の映像機器１１３のそれぞれは、ソフトウェアのダウンロード先がＰＣ１０２であることを示すダウンロード先情報を記憶している。
【００９１】
なお、実施の形態６において、上記以外の点は上記実施の形態１から５までのいずれかと同じである。
【００９２】
実施の形態７．
図７は、本発明の実施の形態７に係る映像システムの構成を概略的に示すブロック図である。
【００９３】
図７に示されるように、実施の形態７に係る映像システムは、複数の映像機器と、これら複数の映像機器をネットワーク接続する回線１００とを有する。図１には、複数の映像機器のうちの、第１の映像機器１２１及び第２の映像機器１２２を示す。複数の映像機器のそれぞれは、例えば、映像の記録及び再生のうちの少なくとも一方の機能を持つ映像記録再生装置であり、映像システムは、例えば、映像監視システムである。回線１００は、例えば、イーサネット（登録商標）技術を用いたローカルエリアネットワークである。回線１００は、有線及び無線のいずれの方式であってもよい。
【００９４】
第１の映像機器１２１は、ハードディスク装置や半導体メモリ等からなる記憶装置を内蔵しており、自身にインストールされているソフトウェアに基づき動作する。また、第２の映像機器１２１は、ハードディスク装置や半導体メモリ等からなる記憶装置を内蔵しており、自身にインストールされているソフトウェアに基づき動作する。第１の映像機器１２１及び第２の映像機器１２２には、インストールされたソフトウェアに基づいて動作する全ての機器が含まれる。また、第１の映像機器１２１及び第２の映像機器１２２は、通常、同じ機種であるが、必ずしも同じ機種である必要はない。また、第１の映像機器１２１及び第２の映像機器１２２には、通常、同じソフトウェアがインストールされるが、第１の映像機器１２１及び第２の映像機器１２２の機種が異なる場合や要求される性能が異なる場合には、異なるソフトウェアをインストールさせてもよい。
【００９５】
第１の映像機器１２１は、その記憶装置に、インストールされているソフトウェアに関する管理情報（例えば、インストールされているソフトウェアを特定するバージョン情報）を保持している。同様に、第２の映像機器１２２は、その記憶装置に、インストールされているソフトウェアに関する管理情報（例えば、インストールされているソフトウェアを特定するバージョン情報）を保持している。また、第１の映像機器１２１は、その記録装置に、管理情報の変更の発生を通知する通知先が第２の映像機器１２２であることを示す第１の通知先情報（映像機器同士を連携させる連携情報の一つ。）を保持している。また、第２の映像機器１２２は、その記録装置に、管理情報の参照先が第１の映像機器１２１であることを示す第１の参照先情報（映像機器同士を連携させる連携情報の一つ。）を保持している。ここで、「参照先情報」とは、自身にインストールされているソフトウェアに関する管理情報の比較対象とすべき管理情報を保持している他の映像機器を特定する情報である。なお、管理情報に、ソフトウェアが適用可能な映像機器の機種情報、ソフトウェアがインストールされていない場合にはそのことを示す情報等の他の情報を含ませてもよい。
【００９６】
実施の形態７においては、上記実施の形態１（図１）の場合のように所定の時間間隔毎に管理情報の参照を行うのではなく、第１の映像機器１２１から管理情報の変更の通知があったときに、第２の映像機器１２２による管理情報の参照が実行される。
【００９７】
第２の映像機器１２２は、第２の映像機器１２１にインストールされているソフトウェアに関する管理情報の参照の結果、第２の映像機器１２２にインストールされているソフトウェアに関する管理情報が第１の映像機器１２１にインストールされているソフトウェアに関する管理情報と異なることが検知されたときに、第２の映像機器１２２にインストールされているソフトウェアに関する管理情報を第１の映像機器１２１にインストールされているソフトウェアに関する管理情報に一致させるように、回線１００を通したダウンロードによる第２の映像機器１２２に対するソフトウェアのインストールが実行される。インストールは、インストール対象のソフトウェアを初めてインストールする新規インストール及び既にインストールされているソフトウェアの全部又は一部を書き換える更新インストールのいずれをも含む。このインストールは、通常、自動的に実行されるが、インストールの開始時期を管理者の操作によって決める構成としてもよい。実施の形態７においては、ダウンロードは、第１の映像機器１２１に格納されているソフトウェアを用いて実行される。なお、実施の形態７においては、第２の映像機器１２２が保持するダウンロード先情報が特定するダウンロード先は第１の映像機器１２１である。
【００９８】
次に、実施の形態７に係る映像システムの動作を説明する。インストール用ソフトウェア（セットアッププログラムであるインストーラを含む場合もある。）を保持した記録媒体１０１を用いて第１の映像機器１２１にソフトウェアをインストールする。このインストールにより、第１の映像機器１２１にインストールされているソフトウェアに関する管理情報も更新される。このとき、第１の映像機器１２１は、通知先情報で指定された第２の映像機器１２２に対して、第１の映像機器１２１の管理情報に変更があったこと（即ち、インストールされているソフトウェアに変更があったこと）を通知する。ただし、第１の映像機器１２１からの通知を、ネットワーク接続されている全ての映像機器（図７に示されていない）に対して行うようにしてもよい。この通知を受けた第２の映像機器１２２は、第１の映像機器１２１にインストールされているソフトウェアに関する管理情報を参照し、第１の映像機器１２１にインストールされているソフトウェアに関する管理情報が第２の映像機器１２２にインストールされているソフトウェアに関する管理情報と異なっていることを検知する。このとき、第２の映像機器１２２は、第２の映像機器１２２にインストールされているソフトウェアに関する管理情報を第１の映像機器１２１にインストールされているソフトウェアに関する管理情報に一致させるように、第１の映像機器１２１からのダウンロードにより、第２の映像機器１２２に新たなソフトウェアをインストールする。
【００９９】
以上説明したように、実施の形態７に係る映像システムによれば、第１の映像機器１２１に対して記録媒体１０１を用いてソフトウェアをインストールすれば、第２の映像機器１２２には、自動的に、ソフトウェアがインストールされるので、映像システムを構成する映像機器が多数ある場合であっても、ソフトウェアのインストール作業の負担を軽減することができる。言い換えれば、管理者は、ソフトウェアのインストールに関して、映像システム全体があたかも１台の機器であるかのように扱うことができる。
【０１００】
なお、第１の映像機器１２１及び第２の映像機器１２２は、上記したようなソフトウェアの自動的なインストール機能を、プログラムを保持した記録媒体から又はプログラムをダウンロードすることによって、取得することができる。
【０１０１】
実施の形態８．
図８は、本発明の実施の形態８に係る映像システムの構成を概略的に示すブロック図である。図８において、図７の構成と同一又は対応する構成には、同じ符号を付す。
【０１０２】
図８に示されるように、実施の形態８に係る映像システムは、複数の映像機器と、パーソナルコンピュータ（ＰＣ）１０２と、これらをネットワーク接続する回線１００とを有する。図８には、複数の映像機器のうちの、第１の映像機器１２１及び第２の映像機器１２２を示す。第１の映像機器１２１及び第２の映像機器１２２の構成は、上記実施の形態７（図７）のものと同じである。なお、実施の形態８において、第１の映像機器１２１は、ソフトウェアのダウンロード先がＰＣ１０２である。また、第２の映像機器１２２は、ソフトウェアのダウンロード先を第１の映像機器１２１であることを示すダウンロード先情報を記憶している。
【０１０３】
次に、実施の形態８に係る映像システムの動作を説明する。インストール用ソフトウェア（インストーラを含む場合もある。）を保持した記録媒体１０１が読取部に挿入されたＰＣ１０２を用いて、又は、既にインストール用ソフトウェアを保持したＰＣ１０２を用いて、第１の映像機器１２１にソフトウェアをインストールする。このインストールにより、第１の映像機器１２１にインストールされているソフトウェアに関する管理情報も更新される。このとき、第１の映像機器１２１は、第２の映像機器１２２に対して、第１の映像機器１２１の管理情報に変更があったこと（即ち、インストールされているソフトウェアに変更があったこと）を通知する。ただし、第１の映像機器１２１からの通知を、ネットワーク接続されている全ての映像機器（図７に示されていない）に対して行うようにしてもよい。この通知を受けた第２の映像機器１２２は、第１の映像機器１２１にインストールされているソフトウェアに関する管理情報を参照し、第１の映像機器１２１にインストールされているソフトウェアに関する管理情報が第２の映像機器１２２にインストールされているソフトウェアに関する管理情報と異なっていることを検知する。このとき、第２の映像機器１２２は、第２の映像機器１２２にインストールされているソフトウェアに関する管理情報を第１の映像機器１２１にインストールされているソフトウェアに関する管理情報に一致させるように、第１の映像機器１２１からのダウンロードにより、第２の映像機器１２２にソフトウェアをインストールする。
【０１０４】
以上説明したように、実施の形態８に係る映像システムによれば、第１の映像機器１２１に対してＰＣ１０２を用いてソフトウェアをインストールすれば、第２の映像機器１２２には、自動的に、ソフトウェアがインストールされるので、映像システムを構成する映像機器が多数ある場合であっても、ソフトウェアのインストール作業の負担を軽減することができる。言い換えれば、管理者は、ソフトウェアのインストールに関して、映像システム全体があたかも１台の機器であるかのように扱うことができる。
【０１０５】
なお、実施の形態８において、上記以外の点は、上記実施の形態７と同じである。
【０１０６】
実施の形態９．
図９は、本発明の実施の形態９に係る映像システムの構成を概略的に示すブロック図である。図９において、図８の構成と同一又は対応する構成には、同じ符号を付す。
【０１０７】
実施の形態９に係る映像システムは、第２の映像機器１２２に対するソフトウェアのインストールを、ＰＣ１０２からのダウンロードによって実行する点が、上記第１の映像機器１２１からのダウンロードによって実行する実施の形態８に係る映像システムと相違する。即ち、実施の形態９に係る映像システムにおいては、第２の映像機器１２２は、ソフトウェアのダウンロード先がＰＣ１０２であることを示すダウンロード先情報を記憶している。
【０１０８】
なお、実施の形態９において、上記以外の点は、上記実施の形態７又は８と同じである。
【０１０９】
実施の形態１０．
図１０は、本発明の実施の形態１０に係る映像システムの構成を概略的に示すブロック図である。図１０において、図７の構成と同一又は対応する構成には、同じ符号を付す。
【０１１０】
実施の形態１０に係る映像システムは、複数の映像機器と、これら複数の映像機器をネットワーク接続する回線１００とを有する。図１０には、複数の映像機器のうちの、第１の映像機器１２１、第２の映像機器１２２、及び第３の映像機器１２３を示す。複数の映像機器のそれぞれは、例えば、映像の記録及び再生のうちの少なくとも一方の機能を持つ映像記録再生装置であり、映像システムは、例えば、映像監視システムである。
【０１１１】
第１の映像機器１２１は、その記憶装置に、インストールされているソフトウェアに関する管理情報（例えば、インストールされているソフトウェアを特定するバージョン情報）を保持している。同様に、第２の映像機器１２２は、その記憶装置に、インストールされているソフトウェアに関する管理情報（例えば、インストールされているソフトウェアを特定するバージョン情報）を保持している。また、第１の映像機器１２１は、その記録装置に、管理情報の変更の発生を通知する通知先が第２の映像機器１２２及び第３の映像機器１２３であることを示す第１の通知先情報（映像機器同士を連携させる連携情報の一つ。）を保持している。また、第２の映像機器１２２は、その記録装置に、管理情報の参照先が第１の映像機器１２１であることを示す第１の参照先情報（映像機器同士を連携させる連携情報の一つ。）を保持している。また、第３の映像機器１２３は、その記録装置に、管理情報の参照先が第１の映像機器１２１であることを示す第２の参照先情報（映像機器同士を連携させる連携情報の一つ。）を保持している。ここで、「参照先情報」とは、自身にインストールされているソフトウェアに関する管理情報の比較対象とすべき管理情報を保持している他の映像機器を特定する情報である。なお、管理情報に、ソフトウェアが適用可能な映像機器の機種情報、ソフトウェアがインストールされていない場合にはそのことを示す情報等の他の情報を含ませてもよい。
【０１１２】
次に、実施の形態１０に係る映像システムの動作を説明する。インストール用ソフトウェア（セットアッププログラムであるインストーラを含む場合もある。）を保持した記録媒体１０１を用いて第１の映像機器１２１にソフトウェアをインストールする。このインストールにより、第１の映像機器１２１にインストールされているソフトウェアに関する管理情報も更新される。このとき、第１の映像機器１２１は、第２の映像機器１２２及び第３の映像機器１２３に対して、第１の映像機器１２１の管理情報に変更があったこと（即ち、ソフトウェアに変更があったこと）を通知する。ただし、第１の映像機器１２１からの通知を、ネットワーク接続されている全ての映像機器（図１０に示されていない）に対して行うようにしてもよい。
【０１１３】
この通知を受けた第２の映像機器１２２は、第１の映像機器１２１にインストールされているソフトウェアに関する管理情報を参照し、第１の映像機器１２１にインストールされているソフトウェアに関する管理情報が第２の映像機器１２２にインストールされているソフトウェアに関する管理情報と異なっていることを検知する。このとき、第２の映像機器１２２は、第２の映像機器１２２にインストールされているソフトウェアに関する管理情報を第１の映像機器１２１にインストールされているソフトウェアに関する管理情報に一致させるように、第１の映像機器１２１からのダウンロードにより、第２の映像機器１２２に新たなソフトウェアをインストールする。
【０１１４】
同様に、第３の映像機器１２３は、第１の映像機器１２１にインストールされているソフトウェアに関する管理情報が第３の映像機器１２３にインストールされているソフトウェアに関する管理情報と異なっていることを検知する。このとき、第３の映像機器１２３は、第３の映像機器１２３にインストールされているソフトウェアに関する管理情報を第１の映像機器１２１にインストールされているソフトウェアに関する管理情報に一致させるように、第３の映像機器１２３に新たなソフトウェアをインストールする。
【０１１５】
以上説明したように、実施の形態１０に係る映像システムによれば、第１の映像機器１２１に対して記録媒体１０１を用いてソフトウェアのインストールを実行すれば、第２の映像機器１２２及び第３の映像機器１２３には、自動的に、ソフトウェアがインストールされるので、映像システムを構成する映像機器が多数ある場合であっても、ソフトウェアのインストール作業の負担を軽減することができる。言い換えれば、管理者は、ソフトウェアのインストールに関して、映像システム全体があたかも１台の機器であるかのように扱うことができる。なお、映像機器の台数は、４台以上であってもよい。
【０１１６】
また、実施の形態１０において、上記以外の点は、上記実施の形態７と同じである。
【０１１７】
また、第３の映像機器１２３は、上記したようなソフトウェアの自動的なインストール機能を、プログラムを保持した記録媒体から又はプログラムをダウンロードすることによって、取得することができる。
【０１１８】
実施の形態１１．
図１１は、本発明の実施の形態１１に係る映像システムの構成を概略的に示すブロック図である。図１１において、図１０の構成と同一又は対応する構成には、同じ符号を付す。
【０１１９】
第２の映像機器１２２は、その記憶装置に、インストールされているソフトウェアに関する管理情報（例えば、インストールされているソフトウェアを特定するバージョン情報）を保持している。同様に、第３の映像機器１２３は、その記憶装置に、インストールされているソフトウェアに関する管理情報（例えば、インストールされているソフトウェアを特定するバージョン情報）を保持している。また、第２の映像機器１２２は、その記録装置に、管理情報の変更の発生を通知する通知先が第３の映像機器１２３であることを示す第２の通知先情報（映像機器同士を連携させる連携情報の一つ。）を保持している。また、第３の映像機器１２３は、その記録装置に、管理情報の参照先が第２の映像機器１２２であることを示す第２の参照先情報（映像機器同士を連携させる連携情報の一つ。）を保持している。実施の形態１１においては、上記実施の形態１（図１）の場合のように所定の時間間隔毎に管理情報の参照を行うのではなく、第２の映像機器１２２から管理情報の変更の通知があったときに、第３の映像機器１２３による管理情報の参照が実行される。
【０１２０】
実施の形態１１に係る映像システムにおいては、第３の映像機器１２３は、第３の映像機器１２３にインストールされているソフトウェアに関する管理情報が第２の映像機器１２２にインストールされているソフトウェアに関する管理情報と異なることが検知されたときに、第３の映像機器１２３にインストールされているソフトウェアに関する管理情報を第２の映像機器１２２にインストールされているソフトウェアに関する管理情報に一致させるように、回線１００を通したダウンロードにより、第３の映像機器１２３にソフトウェアをインストールする。このインストールは、通常、自動的に実行されるが、インストールの開始時期を管理者の操作によって決める構成としてもよい。実施の形態１１に係る映像システムにおいては、第３の映像機器１２３へのダウンロードは、第２の映像機器１２２に格納されているソフトウェアを用いて実行される。即ち、実施の形態１１において、第３の映像機器１２３は、新たなソフトウェアのダウンロード先が第２の映像機器１２２であることを示すダウンロード先情報を記憶している。
【０１２１】
なお、実施の形態１１において、上記以外の点は上記実施の形態７から１０までのいずれかと同じである。
【０１２２】
実施の形態１２．
図１２は、本発明の実施の形態１２に係る映像システムの構成を概略的に示すブロック図である。図１２において、図１０の構成と同一又は対応する構成には、同じ符号を付す。
【０１２３】
実施の形態１２に係る映像システムは、第２の映像機器１２２に対するソフトウェアのインストール及び第３の映像機器１２３に対するソフトウェアのインストールを、インストール用ソフトウェア（インストーラを含む場合もある。）を保持した記録媒体１０１が読取部に挿入されたＰＣ１０２を用いて、又は、既にインストール用ソフトウェアを保持したＰＣ１０２を用いて実行する点が、上記実施の形態１０（図１０）の映像システムと相違する。
即ち、実施の形態１２に係る映像システムにおいて、第２の映像機器１２２は、ソフトウェアのダウンロード先がＰＣ１０２であることを示すダウンロード先情報を記憶しており、第３の映像機器１２３は、ソフトウェアのダウンロード先がＰＣ１０２であることを示すダウンロード先情報を記憶している。
【０１２４】
なお、実施の形態１２において、上記以外の点は上記実施の形態７から１１までのいずれかと同じである。
【０１２５】
実施の形態１３．
図１３は、本発明の実施の形態１３に係る映像機器を用いて構成した映像監視システムの構成を概略的に示す図である。
【０１２６】
図１３において、１ａ，１ｂ，１ｃ，１ｄのそれぞれは、映像機器としてのタイムラプス記録再生装置である。図１３に示されるように、記録再生装置１ａにはカメラ１６ａ１，１６ａ２，１６ａ３，１６ａ４が接続され、記録再生装置１ｂにはカメラ１６ｂ１，１６ｂ２，１６ｂ３，１６ｂ４が接続され、記録再生装置１ｃにはカメラ１６ｃ１，１６ｃ２，１６ｃ３，１６ｃ４が接続され、記録再生装置１ｄにはカメラ１６ｄ１，１６ｄ２，１６ｄ３，１６ｄ４が接続されている。記録再生装置１ａ，１ｂ，１ｃ，１ｄ及びパーソナルコンピュータ（ＰＣ）１８はネットワークを介して接続されている。また、記録再生装置１ａには外部モニタ１７が接続されている。
【０１２７】
図１４は、実施の形態１３に係る映像監視システムを構成するタイムラプス記録再生装置１（１ａ，１ｂ，１ｃ，１ｄ）の構成を概略的に示すブロック図である。
【０１２８】
図１４において、２はＣＰＵ、３はＲＯＭ、４はＲＡＭ、５は設定メモリ、６は画像圧縮部、７は画像伸張部、８はスイッチャ・バッファ、９はアナログ−デジタル（ＡＤ）変換部、１０はデジタル−アナログ（ＤＡ）変換部、１１はマルチプレクサ、１２はハードディスク装置（ＨＤＤ）、１３はネットワークインタフェースである。
【０１２９】
マルチプレクサ１１は、カメラからの映像信号が入力される複数の入力端子を持つ。マルチプレクサ１１は、出力端子から出力される映像信号を、必要に応じて切り替える。マルチプレクサ１１で選択された映像信号は、アナログ−デジタル変換部９でデジタル化され、スイッチャ・バッファ８を経由して画像圧縮部６で圧縮され、ハードディスク装置１２に格納される。通常の監視動作時には、マルチプレクサ１１で選択された映像信号は、スイッチャ・バッファ８で合成され、デジタル−アナログ変換部１０でアナログ信号に変換されて外部モニタ１７に表示される。また、再生動作時には、ハードディスク装置１２から取り出された画像データは、画像伸張部７で伸張され、スイッチャ・バッファ８で合成され、デジタル−アナログ変換部１０でアナログ信号に変換されて外部モニタ１７に表示される。ネットワーク経由の監視・再生の場合には、ネットワークインタフェース１３を通じて画像データが出力され、ＰＣ１８のモニタに表示される。ＣＰＵ２は、ＲＯＭ３に格納されたプログラムを用い、ＲＡＭ４をワークエリアとして使用して、記録再生装置１の各構成の動作を制御する。
【０１３０】
図１５は、実施の形態１３に係る映像監視システムを構成する記録再生装置１（１ａ，１ｂ，１ｃ，１ｄ）の設定メモリ５に格納されている情報を示す説明図である。図１５に示されるように、設定メモリ５には、動作させるカメラの番号や、動作させるカメラを切り替えるタイミング等を記録した機器設定１５ａと、通信するために必要なアドレスや通信方式を記録したネットワーク設定１５ｂとが格納されている。さらに、設定メモリ５には、連携設定２０が格納されている。
【０１３１】
図１６は、図１５の連携設定２０の内容の一例を示す説明図である。図１６に示されるように、連携設定２０には、連携情報２２が含まれる。連携設定２０には、記録再生装置自身にインストールされているソフトウェアの種類（図１６における「インストールソフト」）、そのバージョン、そのソフトウェアが対応している機種（図１６における「対応機種」）、及び他の機器のソフトウェアのバージョン等に変更が無いかを参照して検知するための参照先情報（図１６における「参照先」）を格納している。また、必要に応じて他の設定を格納する場合もある。
【０１３２】
図１７は、実施の形態１３に係る映像監視システムを構成するタイムラプス記録再生装置１（１ａ，１ｂ，１ｃ，１ｄ）のＲＯＭ３、ＲＡＭ４、ハードディスク装置１２等の記憶装置（単に「メモリ」とも言う。）内部にインストールされているソフトウェアの占有状態又は展開状態を示す説明図である。図１７において、２１ａはソフトウェアＳ１の占有又は展開領域、２１ｂはソフトウェアＳ２の占有又は展開領域、２１ｃはソフトウェアＳ３の占有又は展開領域である。同様に、メモリには、他のソフトウェアに対しても占有又は展開領域が確保される。
【０１３３】
図１８は、実施の形態１３に係る映像監視システムの構成及び動作を示す説明図である。図１８に示される映像監視システムは、上記実施の形態４（図４）の映像システムを映像監視システムに適用したものである。図１８において、１ａ，１ｂ，１ｃはそれぞれタイムラプス記録再生装置、３はＲＯＭ、１４ａはメディア読取装置、１４ｂはメディア（記録媒体）、１８は記録再生装置１ａ，１ｂ，１ｃを監視・制御するためのＰＣ、１９はネットワーク、２０は設定メモリ内部の連携設定である。記録再生装置１ａ，１ｂ，１ｃ及びＰＣ１８は、ネットワーク１９を介して接続されている。各記録再生装置１ａ，１ｂ，１ｃ及びＰＣ１８は、メディア読取装置１４ａを備えており、インストール用ソフトウェア（インストーラを伴う場合もある。）が記憶されたメディア１４ｂをメディア読取装置１４ａに挿入し、インストーラ又はインストール用ソフトウェアを各機器のＲＯＭ３内に取り込むことで、ソフトウェアをインストール（新規インストール又は更新インストール）することができる。
【０１３４】
図１８においては、記録再生装置１ａ，１ｂ，１ｃは全て同一機種（機種名「ＲｅｃＴｙｐｅ１」）である。また、記録再生装置１ａ，１ｂ，１ｃのそれぞれには、同一のソフトウェアＳ１バージョン“１．０”が予めインストールされている。
【０１３５】
ソフトウェアの更新に際しては、管理者は、管理者用機器として位置付けた記録再生装置１ａにインストールされているソフトウェアＳ１をバージョン“１．０”からバージョン“２．０”に更新する。更新に際しては、ソフトウェアＳ１バージョン“２．０”のインストール用ソフトウェア（インストーラを伴う場合もある。）が記憶されたメディア１４ｂを、記録再生装置１ａのメディア読取装置１４ａに挿入する。記録再生装置１ａは、メディア１４ｂに格納されているインストール用ソフトウェアを読み取り、自身のＲＯＭ３内に取り込み、自動的にソフトウェアＳ１をバージョン“２．０”に更新する。
【０１３６】
図１６に示されるように、各記録再生装置１ａ，１ｂ，１ｃの連携設定２０には連携情報２２が含まれる。実施の形態１３において、連携情報２２は、他の記録再生装置のソフトウェアのバージョン等に変更が無いかを参照するための参照先の記録再生装置を示す参照先情報を含む。後述する図２０に示されるように、記録再生装置１ａは、参照先情報を保持しないが、後述する図２１に示されるように、記録再生装置１ｂ，１ｃは、参照先が記録再生装置１ａであることを示す参照先情報を保持している。
【０１３７】
記録再生装置１ｂ，１ｃは、所定の時間間隔で参照先である記録再生装置１ａのソフトウェアＳ１のバージョンを問い合わせる。記録再生装置１ｂ，１ｃは、記録再生装置１ａにインストールされているソフトウェアＳ１のバージョンと、記録再生装置１ｂ，１ｃにインストールされているソフトウェアＳ１のバージョンとを比較する。バージョンが異なっている場合、記録再生装置１ｂ，１ｃは、参照先である記録再生装置１ａのＲＯＭ内に記憶されているインストール用ソフトウェアを、各記録再生装置１ｂ，１ｃのＲＯＭ内に取り込み、自動的にソフトウェアＳ１をバージョン“２．０”に更新する。
【０１３８】
図１９は、実施の形態１３に係る映像監視システムを構成するタイムラプス記録再生装置１ａ，１ｂ，１ｃのメモリ内部にインストールされているソフトウェアの占有状態又は展開状態の推移を示す説明図である。図１８の上段に示されるように、最初は、各記録再生装置１ａ，１ｂ，１ｃのメモリ内部には、ソフトウェアＳ１バージョン“１．０”がインストールされている。管理者は、管理者用記録再生装置として位置付けた記録再生装置１ａのメディア読取装置１４ａにメディア１４ｂを挿入して、記録再生装置１ａのメモリ内部にインストールされているソフトウェアＳ１バージョン“１．０”を、バージョン“２．０”に更新する。
【０１３９】
図１９の中段に示されるように、この時点では、記録再生装置１ｂ，１ｃのメモリ内部には、ソフトウェアＳ１バージョン“１．０”がインストールされている。記録再生装置１ｂ，１ｃは所定の時間間隔で参照先である記録再生装置１ａに連携情報２２を問い合わせ、記録再生装置１ａにインストールされているソフトウェアＳ１のバージョンと記録再生装置１ｂ，１ｃにインストールされているソフトウェアＳ１のバージョンとを比較する。ここでは、記録再生装置１ａにインストールされているソフトウェアＳ１のバージョンは“２．０”であり、記録再生装置１ｂ，１ｃにインストールされているソフトウェアＳ１のバージョンは“１．０”であるので、記録再生装置１ｂ，１ｃは、記録再生装置１ａからソフトウェアＳ１バージョン“２．０”のインストール用ソフトウェアをダウンロードして、自動的に、ソフトウェアＳ１のバージョンを“２．０”に更新する。この結果、図１８の下段に示されるように、各記録再生装置１ａ，１ｂ，１ｃのメモリ内部におけるソフトウェアＳ１のバージョンは“２．０”になる。
【０１４０】
図２０は、実施の形態１３に係る映像監視システムを構成する管理者用タイムラプス記録再生装置１ａのメモリ内部にインストールされたソフトウェアの更新前後の連係情報２２の変化を示す説明図である。図２０に示されるように、管理者用記録再生装置として位置付けられた記録再生装置１ａは、参照先情報を保持していない。管理者が、記録再生装置１ａのメディア読取装置１４ａにメディア１４ｂを挿入して、記録再生装置１ａにインストールされているソフトウェアＳ１の更新を行うと、バージョン記載欄は、図２０の上段に示される“１．０”から、図２０の下段に示される“２．０”へと変化する。
【０１４１】
図２１は、実施の形態１３に係る映像監視システムを構成するタイムラプス記録再生装置１ｂ，１ｃのメモリ内部にインストールされたソフトウェアの更新前後の連係情報２２の変化を示す説明図である。図２１に示されるように、記録再生装置１ｂ，１ｃの参照先は記録再生装置１ａである。記録再生装置１ｂ，１ｃは、所定の時間間隔で、記録再生装置１ａに連携情報を問い合わせ、記録再生装置１ａにインストールされているソフトウェアＳ１のバージョンと、記録再生装置１ｂ，１ｃにインストールされているソフトウェアＳ１のバージョンとを比較する。記録再生装置１ａにインストールされているソフトウェアＳ１のバージョンと、記録再生装置１ｂ，１ｃにインストールされているソフトウェアＳ１のバージョンとが異なっている場合には、記録再生装置１ｂ，１ｃは、記録再生装置１ａからソフトウェアＳ１バージョン“２．０”のインストール用ソフトウェアをダウンロードして、自動的に、ソフトウェアＳ１のバージョンを、図２１の上段に示されるバージョン“１．０”から図２１の下段に示される“バージョン２．０”に更新する。
【０１４２】
以上説明したように、実施の形態１３に係る映像監視システムによれば、記録再生装置１ａに対してメディア１４ｂを用いてソフトウェアをインストールすれば、記録再生装置１ｂ，１ｃに、自動的に、ソフトウェアがインストールされるので、映像監視システムを構成する記録再生装置が多数ある場合であっても、ソフトウェアのインストール作業の負担を軽減することができる。言い換えれば、管理者は、ソフトウェアのインストールに関して、映像監視システム全体があたかも１台の機器であるかのように扱うことができる。
【０１４３】
実施の形態１４．
図２２は、本発明の実施の形態１４に係る映像機器を用いて構成した映像監視システムの構成及び動作を示す説明図である。実施の形態１４に係る映像監視システムは、上記実施の形態５（図５）の映像システムを映像監視システムに適用したものである。実施の形態１４において、タイムラプス記録再生装置１ａ，１ｂ，１ｃ及びＰＣ１８はいずれもネットワークを介して接続されている。上記実施の形態１３において説明したように、管理者はソフトウェアのインストール用ソフトウェア（インストーラを伴う場合もある。）が記憶されたメディア１４ｂを各記録再生装置１ａ，１ｂ，１ｃのメディア読取装置１４ａに挿入して、ソフトウェアをインストールすることができる。
【０１４４】
図２２においては、記録再生装置１ａ，１ｂ，１ｃは全て同一機種（機種名「ＲｅｃＴｙｐｅ１」）である。また、記録再生装置１ａ，１ｂ，１ｃのそれぞれには、同一のソフトウェアＳ１バージョン“１．０”が予めインストールされている。
【０１４５】
ソフトウェアの更新に際しては、管理者は、管理者用機器として位置付けた記録再生装置１ａにインストールされているソフトウェアＳ１をバージョン“１．０”からバージョン“２．０”に更新する。更新に際しては、ソフトウェアＳ１バージョン“２．０”のインストール用ソフトウェア（インストーラを伴う場合もある。）が記憶されたメディア１４ｂを、記録再生装置１ａのメディア読取装置１４ａに挿入する。記録再生装置１ａは、メディア１４ｂに格納されているインストール用ソフトウェアを読み取り、自身のＲＯＭ３内に取り込み、自動的にソフトウェアＳ１をバージョン“２．０”に更新する。
【０１４６】
実施の形態１４における連携設定２０の設定内容は、図１６のものと同じである。連携設定２０は、記録再生装置自身にインストールされているソフトウェアの種類、そのバージョン、そのソフトウェアの対応機種、及び他の記録再生装置のソフトウェアのバージョン等に変更が無いかを参照するための参照先の記録再生装置を示す参照先情報である連携情報２２を含む。また必要に応じて他の設定を格納することもできる。
【０１４７】
実施の形態１４においては、図２０の場合と同様に、記録再生装置１ａは参照先情報を保持していない。また、後述する図２４に示されるように、記録再生装置１ｂは、参照先が記録再生装置１ａであることを示す参照先情報を保持し、後述する図２５に示されるように、記録再生装置１ｃは、参照先が記録再生装置１ｂであることを示す参照先情報を保持する。記録再生装置１ｂ，１ｃは、所定の時間間隔で自らの参照先である記録再生装置１ａ，１ｂのソフトウェアＳ１のバージョンを問い合わせに行き、記録再生装置１ａ，１ｂからの回答によるソフトウェアＳ１のバージョンと自機のソフトウェアＳ１のバージョンを比較する。記録再生装置１ｂのバージョンが異なっているので参照先である記録再生装置１ａのＲＯＭ内に記憶されているソフトウェアＳ１のインストール用ソフトウェアを記録再生装置１ｂのＲＯＭ内に取り込み、自動的にソフトウェアＳ１のバージョンを“２．０”に更新する。
【０１４８】
その後、記録再生装置１ｂ，１ｃは、所定の時間間隔で自らの参照先である記録再生装置１ａ，１ｂのソフトウェアＳ１のバージョンを問い合わせに行き、記録再生装置１ａ，１ｂからの回答によるソフトウェアＳ１のバージョンと自機のソフトウェアＳ１のバージョンを比較する。記録再生装置１ｃのソフトウェアＳ１のバージョンが記録再生装置１ｂのソフトウェアＳ１のバージョンと異なっていることを検出したときに、記録再生装置１ｃは記録再生装置１ｂから、自動的にソフトウェアＳ１のバージョン“２．０”をダウンロードして更新する。
【０１４９】
図２３は、実施の形態１４に係る映像監視システムを構成する記録再生装置１ａ，１ｂ，１ｃのメモリ内部にインストールされているソフトウェアの占有状態又は展開状態の推移を示す説明図である。図２３の上段に示されるように、最初は、各記録再生装置１ａ，１ｂ，１ｃのメモリ内部には、ソフトウェアＳ１バージョン“１．０”がインストールされている。管理者は、管理者用記録再生装置として位置付けた記録再生装置１ａのメディア読取装置１４ａにメディア１４ｂを挿入して、記録再生装置１ａのメモリ内部にインストールされているソフトウェアＳ１バージョン“１．０”を、バージョン“２．０”に更新する。
【０１５０】
図２３の第２段に示されるように、この時点では、記録再生装置１ｂ，１ｃのメモリ内部には、ソフトウェアＳ１バージョン“１．０”がインストールされている。記録再生装置１ｂ，１ｃは所定の時間間隔で参照先である記録再生装置１ａ，１ｂに連携情報２２を問い合わせ、記録再生装置１ａ，１ｂにインストールされているソフトウェアＳ１のバージョンと記録再生装置１ｂ，１ｃにインストールされているソフトウェアＳ１のバージョンとを比較する。ここでは、記録再生装置１ａにインストールされているソフトウェアＳ１のバージョンは“２．０”であり、記録再生装置１ｂ，１ｃにインストールされているソフトウェアＳ１のバージョンは“１．０”であるので、記録再生装置１ｂは、記録再生装置１ａからソフトウェアＳ１バージョン“２．０”のインストール用ソフトウェアをダウンロードして、自動的に、ソフトウェアＳ１のバージョンを“２．０”に更新する。この結果、図１８の第３段に示されるように、各記録再生装置１ａ，１ｂのメモリ内部におけるソフトウェアＳ１のバージョンは“２．０”になる。
【０１５１】
さらに、記録再生装置１ｂ，１ｃは所定の時間間隔で参照先である記録再生装置１ａ，１ｂに連携情報２２を問い合わせ、記録再生装置１ａ，１ｂにインストールされているソフトウェアＳ１のバージョンと記録再生装置１ｂ，１ｃにインストールされているソフトウェアＳ１のバージョンとを比較する。ここでは、記録再生装置１ａ，１ｂにインストールされているソフトウェアＳ１のバージョンは“２．０”であり、記録再生装置１ｃにインストールされているソフトウェアＳ１のバージョンは“１．０”であるので、記録再生装置１ｃは、記録再生装置１ｂからソフトウェアＳ１バージョン“２．０”のインストール用ソフトウェアをダウンロードして、自動的に、ソフトウェアＳ１のバージョンを“２．０”に更新する。この結果、図２３の第４段（下段）に示されるように、各記録再生装置１ａ，１ｂ，１ｃのメモリ内部におけるソフトウェアＳ１のバージョンは“２．０”になる。
【０１５２】
実施の形態１４に係る映像監視システムを構成する管理者用タイムラプス記録再生装置１ａのメモリ内部にインストールされたソフトウェアの更新前後の連係情報２２の変化は、図２０に示されるようになる。図２０に示されるように、管理者用記録再生装置として位置付けられた記録再生装置１ａは、参照先情報を保持していない。管理者が、記録再生装置１ａのメディア読取装置１４ａにメディア１４ｂを挿入して、記録再生装置１ａにインストールされているソフトウェアＳ１の更新を行うと、バージョン記載欄は、図２０の上段に示される“１．０”から、図２０の下段に示される“２．０”へと変化する。
【０１５３】
図２４は、実施の形態１４に係る映像監視システムを構成するタイムラプス記録再生装置１ｂのメモリ内部にインストールされたソフトウェアの更新前後の連係情報２２の変化を示す説明図である。図２４に示されるように、記録再生装置１ｂの参照先は記録再生装置１ａである。記録再生装置１ｂは、所定の時間間隔で、記録再生装置１ａに連携情報を問い合わせ、記録再生装置１ａにインストールされているソフトウェアＳ１のバージョンと、記録再生装置１ｂにインストールされているソフトウェアＳ１のバージョンとを比較する。記録再生装置１ａにインストールされているソフトウェアＳ１のバージョンと、記録再生装置１ｂにインストールされているソフトウェアＳ１のバージョンとが異なっている場合には、記録再生装置１ｂは、記録再生装置１ａからソフトウェアＳ１バージョン“２．０”のインストール用ソフトウェアをダウンロードして、自動的に、ソフトウェアＳ１のバージョンを、図２４の上段に示されるバージョン“１．０”から図２４の下段に示されるバージョン“２．０”に更新する。
【０１５４】
図２５は、実施の形態１４に係る映像監視システムを構成するタイムラプス記録再生装置１ｃのメモリ内部にインストールされたソフトウェアの更新前後の連係情報２２の変化を示す説明図である。図２５に示されるように、記録再生装置１ｃの参照先は記録再生装置１ｂである。記録再生装置１ｃは、所定の時間間隔で、記録再生装置１ｂに連携情報を問い合わせ、記録再生装置１ｂにインストールされているソフトウェアＳ１のバージョンと、記録再生装置１ｃにインストールされているソフトウェアＳ１のバージョンとを比較する。記録再生装置１ｂにインストールされているソフトウェアＳ１のバージョンと、記録再生装置１ｃにインストールされているソフトウェアＳ１のバージョンとが異なっている場合には、記録再生装置１ｃは、記録再生装置１ｂからソフトウェアＳ１バージョン“２．０”のインストール用ソフトウェアをダウンロードして、自動的に、ソフトウェアＳ１のバージョンを、図２５の上段に示されるバージョン“１．０”から図２５の下段に示されるバージョン“２．０”に更新する。
【０１５５】
以上説明したように、実施の形態１４に係る映像監視システムによれば、記録再生装置１ａに対してメディア１４ｂを用いてソフトウェアをインストールすれば、自動的に、記録再生装置１ｂに対して新たなソフトウェアがインストールされ、さらに記録再生装置１ｃに対して新たなソフトウェアがインストールされるので、映像監視システムを構成する記録再生装置が多数ある場合であっても、ソフトウェアのインストール作業の負担を軽減することができる。言い換えれば、管理者は、ソフトウェアのインストールに関して、映像監視システム全体があたかも１台の機器であるかのように扱うことができる。
【０１５６】
なお、実施の形態１４において、上記以外の点は、上記実施の形態１３と同じである。
【０１５７】
実施の形態１５．
図２６は、本発明の実施の形態１５に係る映像機器を用いて構成した映像監視システムの構成及び動作を示す説明図である。実施の形態１５に係る映像監視システムは、上記実施の形態１２（図１２）の映像システムを映像監視システムに適用したものである。
【０１５８】
実施の形態１５に係る映像監視システムにおいては、タイムラプス記録再生装置１ａ，１ｂ，１ｃ及びＰＣ１８は、ネットワークを介して接続されている。上記実施の形態１３において説明したように、管理者は、インストール用ソフトウェア（インストーラを伴う場合もある。）が記憶されたメディア１４ｂを各記録再生装置１ａ，１ｂ，１ｃのメディア読取装置１４ａに挿入して、各記録再生装置１ａ，１ｂ，１ｃにソフトウェアをインストールすることができる。
【０１５９】
実施の形態１５においては、記録再生装置１ａ，１ｂ，１ｃは全て同一機種（機種名「ＲｅｃＴｙｐｅ１」）である。また、記録再生装置１ａ，１ｂ，１ｃ及びこれらを監視・制御するためのＰＣ１８には同一のソフトウェアＳ１バージョン“１．０”が予めインストールされている。また、ＰＣ１８はサーバとしての役目を果たす。
【０１６０】
図２７は、実施の形態１５に係る映像監視システムを構成するタイムラプス記録再生装置１ａ，１ｂ，１ｃのメモリ内部の連携設定２０の内容の一例を示す説明図である。連携設定２０には、連携情報２２が含まれる。連携設定２０には、記録再生装置自身にインストールされているソフトウェアの種類（図２７における「インストールソフト」）、そのバージョン、そのソフトウェアが対応している機種（図２７における「対応機種」）、他の機器のソフトウェアのバージョン等に変更が無いかを参照して検知するための参照先情報（図２７における「参照先」）、ソフトウェアが変更された際にその変更された情報を通知する記録再生装置を特定する通知先情報（図２７における「通知先」）、及び記録再生装置にソフトウェアのダウンロードを要求するダウンロード先（図２７における「ダウンロード先」）情報を格納している。また、必要に応じて他の設定を格納する場合もある。
【０１６１】
実施の形態１５においては、記録再生装置１ａは、参照先情報を保持しておらず、ソフトウェアの変更を通知する記録再生装置が記録再生装置１ｂ，１ｃであることを示す通知先情報を保持している。また、記録再生装置１ａは、ダウンロードを要求するダウンロード先がサーバアドレス（ＰＣ）であることを示すダウンロード先情報を保持する。また、記録再生装置１ｂ，１ｃは、ソフトウェアの管理情報（例えば、バージョン情報）の参照先が記録再生装置１ａであることを示す参照先情報を保持し、通知先情報を保持しておらず、ソフトウェアのダウンロードを要求するダウンロード先がサーバアドレスであることを示すダウンロード先情報を保持している。
【０１６２】
ソフトウェアの更新に際しては、管理者は、管理者用機器として位置付けた記録再生装置１ａにインストールされているソフトウェアＳ１をバージョン“１．０”からバージョン“２．０”に更新する。更新に際しては、ソフトウェアＳ１バージョン“２．０”のインストール用ソフトウェア（インストーラを伴う場合もある。）が記憶されたメディア１４ｂを、ＰＣ１８のメディア読取装置１４ａに挿入する。ＰＣ１８は、メディア１４ｂに格納されているインストール用ソフトウェアを読み取り、自身のＲＯＭ内に取り込み、自動的にソフトウェアＳ１をバージョン“２．０”に更新する。
【０１６３】
管理者用記録再生装置として位置付けられた記録再生装置１ａは、ソフトウェアＳ１のダウンロード先をサーバアドレス（即ち、ＰＣ１８）としているので、管理者がＰＣ１８のソフトウェアＳ１のバージョンを“１．０”から“２．０”に更新した際には、自動的にＰＣ１８のＲＯＭ３からインストール用ソフトウェアを記録再生装置１ａのＲＯＭ３内に取り込んで自動的にソフトウェアＳ１のバージョンを“２．０”に更新する。
【０１６４】
ソフトウェアＳ１を更新した記録再生装置１ａは、ソフトウェアＳ１の更新を知らせる通知先を特定する通知先情報を保持しており、この通知先情報に基づいて記録再生装置１ｂ，１ｃに、ソフトウェアＳ１が更新されたことを知らせるソフトウェア更新情報を通知する。ソフトウェア更新の通知を受信した記録再生装置１ｂ，１ｃは、参照先である記録再生装置１ａのソフトウェアＳ１のバージョンを問い合わせる。記録再生装置１ｂ，１ｃは、記録再生装置１ａにインストールされているソフトウェアＳ１のバージョンと、記録再生装置１ｂ，１ｃにインストールされているソフトウェアＳ１のバージョンとを比較する。バージョンが異なっている場合、記録再生装置１ｂ，１ｃは、ダウンロード先であるＰＣ１８のＲＯＭ内に記憶されているインストール用ソフトウェアを、各記録再生装置１ｂ，１ｃのＲＯＭ３内に取り込み、自動的にソフトウェアＳ１をバージョン“２．０”に更新する。
【０１６５】
図２８は、実施の形態１５に係る映像監視システムを構成するタイムラプス記録再生装置１ａのメモリ内部にインストールされたソフトウェアの更新前後の連係情報２２の変化を示す説明図である。図２８に示されるように、最初は、記録再生装置１ａのソフトウェアＳ１のバージョンは“１．０”であったが、管理者はＰＣ１８のソフトウェアＳ１の更新を行い、これにより管理者用記録再生装置として位置付けられた記録再生装置１ａはソフトウェアＳ１のインストール用ソフトウェアをＰＣ１８からダウンロードし、記録再生装置１ａのソフトウェアＳ１は更新されたため記録再生装置１ａのメモリ内部におけるソフトウェアＳ１のバージョンは“２．０”となる。この時点では、記録再生装置１ｂ，１ｃのメモリ内部におけるソフトウェアＳ１のバージョンは“１．０”である。
【０１６６】
図２９は、実施の形態１５に係る映像監視システムを構成するタイムラプス記録再生装置１ｂ，１ｃのメモリ内部にインストールされたソフトウェアの更新前後の連係情報２２の変化を示す説明図である。図２９に示されるように、記録再生装置１ｂ，１ｃの参照先は記録再生装置１ａである。記録再生装置１ｂ，１ｃは、記録再生装置１ａから通知を受けたときに、記録再生装置１ａに連携情報を問い合わせ、記録再生装置１ａにインストールされているソフトウェアＳ１のバージョンと、記録再生装置１ｂ，１ｃにインストールされているソフトウェアＳ１のバージョンとを比較する。記録再生装置１ａにインストールされているソフトウェアＳ１のバージョンと、記録再生装置１ｂ，１ｃにインストールされているソフトウェアＳ１のバージョンとが異なっている場合には、記録再生装置１ｂ，１ｃは、ＰＣ１８からソフトウェアＳ１バージョン“２．０”のインストール用ソフトウェアをダウンロードして、自動的に、ソフトウェアＳ１のバージョンを、図２１の上段に示される“１．０”から図２１の下段に示される“２．０”に更新する。
【０１６７】
以上説明したように、実施の形態１５に係る映像監視システムによれば、ＰＣ１８に対してメディア１４ｂを用いてソフトウェアをインストールすれば、記録再生装置１ａ，１ｂ，１ｃに、自動的に、新たなソフトウェアがインストールされるので、映像監視システムを構成する記録再生装置が多数ある場合であっても、ソフトウェアのインストール作業の負担を軽減することができる。言い換えれば、管理者は、ソフトウェアのインストールに関して、映像監視システム全体があたかも１台の機器であるかのように扱うことができる。
【０１６８】
なお、実施の形態１５において、上記以外の点は、上記実施の形態１３又は１４と同じである。
【０１６９】
実施の形態１６．
図３０は、本発明の実施の形態１６に係る映像機器を用いて構成した映像監視システムの構成及び動作を示す説明図である。実施の形態１６に係る映像監視システムは、タイムラプス記録再生装置１ｃの機種が、タイムラプス記録再生装置１ａ，１ｂの機種と相違する点が、上記実施の形態１５に係る映像監視システムと相違する。
【０１７０】
実施の形態１６に係る映像監視システムにおいては、タイムラプス記録再生装置１ａ，１ｂ，１ｃ及びＰＣ１８は、ネットワークを介して接続されている。上記実施の形態１３において説明したように、管理者は、インストール用ソフトウェア（インストーラを伴う場合もある。）が記憶されたメディア１４ｂを各記録再生装置１ａ，１ｂ，１ｃのメディア読取装置１４ａに挿入して、各記録再生装置１ａ，１ｂ，１ｃにソフトウェアをインストールすることができる。
【０１７１】
実施の形態１６に係る映像監視システムにおいては、記録再生装置１ａ，１ｂは同一機種（機種名「ＲｅｃＴｙｐｅ１」）であり、記録再生装置１ｃは記録再生装置１ａ，１ｂと異なる機種（機種名「ＲｅｃＴｙｐｅ２」）である。また、ＰＣ１８はサーバとしての役目を果たす。
【０１７２】
実施の形態１６に係る映像監視システムにおいては、各記録再生装置１ａ，１ｂ，１ｃ及びこれらを監視・制御するためのＰＣ１８にインストールするソフトウェアは２種類ある。例えば、ソフトウェアＳ１が機種「ＲｅｃＴｙｐｅ１」に適用可能であり、ソフトウェアＳ２が機種「ＲｅｃＴｙｐｅ１」及び機種「ＲｅｃＴｙｐｅ２」の両方に適用可能である。ここでは、記録再生装置１ａ，１ｂ及びＰＣ１８にはソフトウェアＳ１バージョン“１．０”が予めインストールされ、また、記録再生装置１ａ，１ｂ，１ｃ及びＰＣ１８にはソフトウェアＳ２バージョン“３．０”が予めインストールされている場合を説明する。
【０１７３】
図３２は、実施の形態１６に係る映像監視システムを構成するタイムラプス記録再生装置のメモリ内部の連携設定２０の内容の一例を示す説明図である。連携設定２０には、連携情報２２が含まれる。連携設定２０には、記録再生装置自身にインストールされているソフトウェアの種類（図３２における「インストールソフト」）、そのバージョン、そのソフトウェアが対応している機種（図３２における「対応機種」）、他の機器のソフトウェアのバージョン等に変更が無いかを参照して検知するための参照先情報（図３２における「参照先」）、及び記録再生装置にソフトウェアのダウンロードを要求するダウンロード先（図３２における「ダウンロード先」）情報を格納している。また、必要に応じて他の設定を格納する場合もある。
【０１７４】
実施の形態１６に係る映像監視システムにおいては、記録再生装置１ａにソフトウェアＳ１及びソフトウェアＳ２がインストールされており、参照先情報は格納されておらず、ダウンロード先がサーバアドレスであることを示すダウンロード先情報が格納されている。また、記録再生装置１ｂにソフトウェアＳ１及びソフトウェアＳ２がインストールされており、参照先が記録再生装置１ａであることを示す参照先情報が格納されており、ダウンロード先がサーバアドレスであることを示すダウンロード先情報が格納されている。また、記録再生装置１ｃにソフトウェアＳ２がインストールされており、参照先が記録再生装置１ａであることを示す参照先情報が格納されており、ダウンロード先がサーバアドレスであることを示すダウンロード先情報が格納されている。
【０１７５】
管理者は、まず、記録再生装置１ａ，１ｂ，１ｃを監視・制御するためのＰＣ１８に対しソフトウェアＳ１のバージョンを“１．０”から“２．０”に、ソフトウェアＳ２のバージョンを“３．０”から“４．０”に更新するために、ソフトウェアＳ１バージョン“２．０”へのインストール用ソフトウェア及びソフトウェアＳ２バージョン“４．０”へのインストール用ソフトウェアが記憶されたメディア１４ｂをＰＣ１８が有しているメディア読取装置１４ａに挿入する。ＰＣ１８はメディア読取装置１４ａからメディア１４ｂに格納されているインストール用ソフトウェアを読み取り、ＰＣ１８のＲＯＭ３内に取り込んで自動的にソフトウェアＳ１のバージョンを“２．０”に、ソフトウェアＳ２のバージョンを“４．０”に更新する。
【０１７６】
また、管理者用記録再生装置として位置付けられた記録再生装置１ａはソフトウェアＳ１及びソフトウェアＳ２のダウンロード先としてサーバアドレスが記載されているため、管理者がＰＣ１８のソフトウェアＳ１のバージョンを“１．０”から“２．０”に、ソフトウェアＳ２のバージョンを“３．０”から“４．０”に更新した際には自動的にＰＣ１８のＲＯＭ３からこれらのインストール用ソフトウェアを記録再生装置１ａのＲＯＭ３内に取り込んで自動的にソフトウェアＳ１のバージョンを“２．０”に、ソフトウェアＳ２のバージョンを“４．０”に更新する。
【０１７７】
ソフトウェアＳ１及びソフトウェアＳ２を更新した記録再生装置１ａはネットワーク上の全ての記録再生装置に通知するブロードキャストを行い、自らのソフトウェアＳ１及びソフトウェアＳ２が更新されたというソフトウェア更新情報を記録再生装置１ｂ，１ｃに通知する。
【０１７８】
ソフトウェア更新情報を受信した記録再生装置１ｂは参照先である記録再生装置１ａのソフトウェアＳ１及びソフトウェアＳ２のバージョンを、同様にソフトウェア更新情報を受信した記録再生装置１ｃは参照先である記録再生装置１ａのソフトウェアＳ２のバージョンを問い合わせに行き、記録再生装置１ｂは記録再生装置１ａからの回答によるソフトウェアＳ１及びソフトウェアＳ２のバージョンと自機のソフトウェアＳ１及びソフトウェアＳ２のバージョンを、記録再生装置１ｃは記録再生装置１ａからの回答によるソフトウェアＳ２のバージョンと自機のソフトウェアＳ２のバージョンを比較する。
【０１７９】
この時点で記録再生装置１ｂはダウンロード先であるＰＣ１８のＲＯＭ３内に記憶されているソフトウェアＳ１及びソフトウェアＳ２のインストール用ソフトウェアを記録再生装置１ｂのＲＯＭ３内に取り込み、自動的にソフトウェアＳ１のバージョンを“２．０”に、ソフトウェアＳ２のバージョンを“４．０”に更新し、記録再生装置１ｃはダウンロード先であるＰＣ１８のＲＯＭ３内に記憶されているソフトウェアＳ２のインストール用ソフトウェアを記録再生装置１ｃのＲＯＭ３内に取り込み、自動的にソフトウェアＳ２のバージョンを“４．０”に更新する。
【０１８０】
図３１は、実施の形態１６における各記録再生装置１ａ，１ｂ，１ｃのメモリ内部におけるソフトウェアＳ１及びソフトウェアＳ２の占有又は展開領域の更新による推移を示した図である。図３１の上段に示されるように、最初は、記録再生装置１ａ，１ｂのソフトウェアＳ１のバージョンは“１．０”、記録再生装置１ａ，１ｂ，１ｃのソフトウェアＳ２のバージョンは“３．０”である。管理者が、ＰＣ１８のソフトウェアＳ１及びソフトウェアＳ２の更新を行い、これにより管理者用記録再生装置として位置付けられた記録再生装置１ａはソフトウェアＳ１及びソフトウェアＳ２のインストール用ソフトウェアをＰＣ１８からダウンロードする。その結果、図３１の中段に示されるように、記録再生装置１ａのソフトウェアＳ１及びソフトウェアＳ２は更新され、記録再生装置１ａのメモリ内部におけるソフトウェアＳ１のバージョンは“２．０”に、ソフトウェアＳ２のバージョンは“４．０”となる。
【０１８１】
この時点では記録再生装置１ｂのメモリ内部におけるソフトウェアＳ１のバージョンは“１．０”でソフトウェアＳ２のバージョンは“３．０”、記録再生装置１ｃのメモリ内部におけるソフトウェアＳ２のバージョンは“３．０”である。記録再生装置１ａはソフトウェアＳ１及びソフトウェアＳ２が更新されたという情報をブロードキャストを用いて記録再生装置１ｂ，１ｃに通知し、記録再生装置１ｂ，１ｃはこのソフトウェア更新情報を受信した後、参照先である記録再生装置１ａに問い合わせに行く。そして、記録再生装置１ｂは、記録再生装置１ａからの回答によるソフトウェアＳ１及びソフトウェアＳ２のバージョンと自機のソフトウェアＳ１及びソフトウェアＳ２のバージョンを、記録再生装置１ｃは記録再生装置１ａからの回答によるソフトウェアＳ２のバージョンと自機のソフトウェアＳ２のバージョンを比較する。
【０１８２】
比較の結果、バージョンが異なっている場合には、記録再生装置１ｂ，１ｃのダウンロード先であるＰＣ１８から記録再生装置１ｂはソフトウェアＳ１及びソフトウェアＳ２のインストール用ソフトウェアを、記録再生装置１ｃはソフトウェアＳ２のインストール用ソフトウェアをダウンロードして自動的に各記録再生装置がインストールされているソフトウェアのバージョンを更新する。この結果、図３１の下段に示されるように、最終的には記録再生装置１ａ，１ｂのメモリ内部におけるソフトウェアＳ１のバージョンは“２．０”へ、ソフトウェアＳ２のバージョンは“４．０”へ、記録再生装置１ｃのメモリ内部におけるソフトウェアＳ２のバージョンは“４．０”となる。
【０１８３】
図３３は、実施の形態１６におけるタイムラプス記録再生装置１ａのメモリ内部における連携情報の更新を示す説明図である。図３３に示されるように、管理者用記録再生装置として位置付けられた記録再生装置１ａの参照先はいかなる記録再生装置も指定していない。また、記録再生装置１ａは、ソフトウェアＳ１のダウンロード先としてサーバアドレスを指定している。これら設定により、管理者がＰＣ１８のソフトウェアを更新するだけで、自動的に、記録再生装置１ａに対してソフトウェアＳ１及びソフトウェアＳ２のインストール用ソフトウェアがＰＣ１８からダウンロードされ、記録再生装置１ａのソフトウェアＳ１及びソフトウェアＳ２が自動的に更新される。ここでは、ソフトウェアＳ１のバージョン記載欄は“１．０”から“２．０”へ、ソフトウェアＳ２のバージョン記載欄は“３．０”から“４．０”へと変化している。
【０１８４】
図３４は、実施の形態１６におけるタイムラプス記録再生装置１ｂのメモリ内部における連携情報の更新を示す説明図である。図３４に示されるように、記録再生装置１ｂのソフトウェアＳ１の参照先は記録再生装置１ａ、ダウンロード先はサーバアドレス、ソフトウェアＳ２の参照先は記録再生装置１ａ、ダウンロード先はサーバアドレスであるため、記録再生装置１ｂは記録再生装置１ａからソフトウェア更新情報を受信した後、記録再生装置１ａにバージョンを問い合わせる。記録再生装置１ｂは記録再生装置１ａからの回答によるソフトウェアＳ１及びソフトウェアＳ２のバージョンと自機のソフトウェアＳ１及びソフトウェアＳ２のバージョンを比較する。バージョンが異なっている場合、ＰＣ１８からソフトウェアＳ１及びソフトウェアＳ２のインストール用ソフトウェアをダウンロードしソフトウェアＳ１及びソフトウェアＳ２を自動的に更新する。このため、ソフトウェアＳ１のバージョン記載欄は“１．０”から“２．０”へ、ソフトウェアＳ２のバージョン記載欄は“３．０”から“４．０”へと変化している。
【０１８５】
図３５は、実施の形態１６におけるタイムラプス記録再生装置１ｃのメモリ内部における連携情報の更新を示す説明図である。図３５に示されるように、記録再生装置１ｃのソフトウェアＳ２の参照先は記録再生装置１ａ、ダウンロード先はサーバアドレスであるため記録再生装置１ｃは記録再生装置１ａからソフトウェア更新情報を受信した後、記録再生装置１ａに問い合わせる。記録再生装置１ｃは記録再生装置１ａからの回答によるソフトウェアＳ２のバージョンと自機のソフトウェアＳ２のバージョンを比較する。バージョンが異なっている場合、ＰＣ１８からソフトウェアＳ２のインストール用ソフトウェアをダウンロードしソフトウェアＳ２を自動的に更新したため、ソフトウェアＳ２のバージョン記載欄は“３．０”から“４．０”へと変化している。
【０１８６】
なお、上記した実施の形態において示した各記録再生装置の接続形態と連係情報の設定値は一例に過ぎず、必要に応じて他の設定を格納する場合がある。
【０１８７】
また、上記した実施の形態において示した各記録再生装置にインストールされている各々のソフトウェアに対し、参照先、通知先、ダウンロード先等は全て同一であるとしているが、各々のソフトウェアに対しこれらが異なっていてもよい。
【０１８８】
また、上記した実施の形態において、ネットワークをインターネットに接続し、インターネット経由でソフトウェアのダウンロードを実行させてもよい。
【０１８９】
さらに、上記した各実施の形態において説明した映像システムにおいて実行されるソフトウェアのインストール手順（インストール方法）は、タイムラプス記録再生装置からなる映像監視システムの場合を説明した。しかし、例えば、複数台のＰＣを映像機器としてネットワーク接続した映像システムにも適用可能である。この場合には、事前に映像記録再生のためのプログラムをインストールし、さらに、本発明に係るソフトウェアのインストール手順（インストール方法）を実行可能にするためのプログラムをインストールすればよい。なお、これらプログラムのインストールは、ＣＤ等の記録媒体から又はインターネット経由等によって行うことができる。
【０１９０】
【発明の効果】
請求項１から１８までに記載の映像システムによれば、他の特定の映像機器に対してソフトウェアをインストールするだけで、自動的に特定の映像機器に新たなソフトウェアがインストールされるので、映像システムを構成する映像機器が多数ある場合であっても、ソフトウェアのインストール作業の負担を軽減することができるという効果がある。
【０１９１】
また、請求項２及び３に記載の映像システムによれば、他の特定の映像機器に対してソフトウェアをインストールするだけで、自動的に特定の映像機器及び更に他の特定の映像機器に新たなソフトウェアがインストールされるので、映像システムを構成する映像機器が多数ある場合であっても、ソフトウェアのインストール作業の負担を軽減することができるという効果がある。
【０１９２】
また、請求項７に記載の映像システムによれば、他の特定の映像機器の管理情報に変更があったときに、他の特定の映像機器が、第１の通知先情報で特定される特定の映像機器に、他の特定の映像機器の管理情報に変更があったことを通知するので、特定の映像機器による管理情報の参照及び新たなソフトウェアのインストールを迅速に行うことができるという効果がある。
【０１９３】
また、請求項９に記載の映像システムによれば、他の特定の映像機器の管理情報に変更があったときに、他の特定の映像機器が、第１の通知先情報で特定される更に他の特定の映像機器に、他の特定の映像機器の管理情報に変更があったことを通知するので、更に他の特定の映像機器による管理情報の参照及び新たなソフトウェアのインストールを迅速に行うことができるという効果がある。
【０１９４】
請求項１９から２２までに記載の映像機器によれば、ネットワーク接続された参照先の映像機器に対してソフトウェアをインストールするだけで、自動的に自身に新たなソフトウェアがインストールされるように構成できるので、ソフトウェアのインストール作業の負担を軽減することができるという効果がある。
【０１９５】
また、請求項２０に記載の映像機器によれば、自身の管理情報に変更があったときに、ネットワーク接続され通知先情報で指定された映像機器に、管理情報の変更が発生したことを通知するので、通知先の映像機器による管理情報の参照及び新たなソフトウェアのインストールを迅速に行うことができるという効果がある。
【０１９６】
また、請求項２３に記載のソフトウェアのインストール方法によれば、他の特定の映像機器に対してソフトウェアをインストールするだけで、自動的に特定の映像機器に新たなソフトウェアがインストールされるので、映像システムを構成する映像機器が多数ある場合であっても、ソフトウェアのインストール作業の負担を軽減することができるという効果がある。
【０１９７】
また、請求項２４に記載の記録媒体に記憶されたプログラム又は請求項２５に記載のプログラムを用いれば、他の特定の映像機器に対してソフトウェアをインストールするだけで、自動的に特定の映像機器に新たなソフトウェアがインストールされる映像システムを提供でき、ソフトウェアのインストール作業の負担を軽減することができるという効果がある。
【図面の簡単な説明】
【図１】  本発明の実施の形態１に係る映像システムの構成を概略的に示すブロック図である。
【図２】  本発明の実施の形態２に係る映像システムの構成を概略的に示すブロック図である。
【図３】  本発明の実施の形態３に係る映像システムの構成を概略的に示すブロック図である。
【図４】  本発明の実施の形態４に係る映像システムの構成を概略的に示すブロック図である。
【図５】  本発明の実施の形態５に係る映像システムの構成を概略的に示すブロック図である。
【図６】  本発明の実施の形態６に係る映像システムの構成を概略的に示すブロック図である。
【図７】  本発明の実施の形態７に係る映像システムの構成を概略的に示すブロック図である。
【図８】  本発明の実施の形態８に係る映像システムの構成を概略的に示すブロック図である。
【図９】  本発明の実施の形態９に係る映像システムの構成を概略的に示すブロック図である。
【図１０】  本発明の実施の形態１０に係る映像システムの構成を概略的に示すブロック図である。
【図１１】  本発明の実施の形態１１に係る映像システムの構成を概略的に示すブロック図である。
【図１２】  本発明の実施の形態１２に係る映像システムの構成を概略的に示すブロック図である。
【図１３】  本発明の実施の形態１３に係る映像機器を用いて構成した映像監視システムの構成を概略的に示す図である。
【図１４】  実施の形態１３に係る映像監視システムを構成するタイムラプス記録再生装置の構成を概略的に示すブロック図である。
【図１５】  実施の形態１３に係る映像監視システムを構成するタイムラプス記録再生装置の設定メモリに格納されている情報を示す説明図である。
【図１６】  図１５の連携設定の内容の一例を示す説明図である。
【図１７】  実施の形態１３に係る映像監視システムを構成するタイムラプス記録再生装置のメモリ内部にインストールされているソフトウェアの占有状態又は展開状態を示す説明図である。
【図１８】  実施の形態１３に係る映像監視システムの構成及び動作を示す説明図である。
【図１９】  実施の形態１３に係る映像監視システムを構成する記録再生装置のメモリ内部にインストールされているソフトウェアの占有状態又は展開状態の推移を示す説明図である。
【図２０】  実施の形態１３に係る映像監視システムを構成する管理者用タイムラプス記録再生装置のメモリ内部にインストールされたソフトウェアの更新前後の連係情報の変化を示す説明図である。
【図２１】  実施の形態１３に係る映像監視システムを構成するタイムラプス記録再生装置のメモリ内部にインストールされたソフトウェアの更新前後の連係情報の変化を示す説明図である。
【図２２】  本発明の実施の形態１４に係る映像機器を用いて構成した映像監視システムの構成及び動作を示す説明図である。
【図２３】  実施の形態１４に係る映像監視システムにおけるタイムラプス記録再生装置のメモリ内部におけるソフトウェアの更新を示す説明図である。
【図２４】  実施の形態１４におけるタイムラプス記録再生装置のメモリ内部における連携情報の更新を示す説明図である。
【図２５】  実施の形態１４におけるタイムラプス記録再生装置のメモリ内部における連携情報の更新を示す説明図である。
【図２６】  本発明の実施の形態１５に係る映像機器を用いて構成した映像監視システムの構成及び動作を示す説明図である。
【図２７】  実施の形態１５におけるタイムラプス記録再生装置のメモリ内部の連携設定を示す説明図である。
【図２８】  実施の形態１５におけるタイムラプス記録再生装置のメモリ内部における連携情報の更新を示す説明図である。
【図２９】  実施の形態１５におけるタイムラプス記録再生装置のメモリ内部における連携情報の更新を示す説明図である。
【図３０】  本発明の実施の形態１６に係る映像機器を用いて構成した映像監視システムの構成及び動作を示す説明図である。
【図３１】  実施の形態１６におけるタイムラプス記録再生装置のメモリ内部におけるソフトウェアの更新状況を示す説明図である。
【図３２】  実施の形態１６におけるタイムラプス記録再生装置のメモリ内部の連携設定を示す説明図である。
【図３３】  実施の形態１６におけるタイムラプス記録再生装置のメモリ内部における連携情報の更新を示す説明図である。
【図３４】  実施の形態１６におけるタイムラプス記録再生装置のメモリ内部における連携情報の更新を示す説明図である。
【図３５】  実施の形態１６におけるタイムラプス記録再生装置のメモリ内部における連携情報の更新を示す説明図である。
【図３６】  従来の映像監視システムの構成を概略的に示すブロック図である。
【符号の説明】
１，１ａ，１ｂ，１ｃ，１ｄ  タイムラプス記録再生装置、  ２  ＣＰＵ、  ３  ＲＯＭ、  ４  ＲＡＭ、  ５  設定メモリ、  ６  画像圧縮部、  ７  画像伸張部、  ８  スイッチャ・バッファ、  ９  アナログ−デジタル変換部、  １０  デジタル−アナログ変換部、  １１  マルチプレクサ、  １２  ハードディスク装置（ＨＤＤ）、  １３  ネットワークインタフェース、  １４ａ  メディア読取装置、  １４ｂ  メディア、  １５ａ  機器設定、  １５ｂ  ネットワーク設定、  １６，１６ａ１，１６ａ２，１６ａ３，１６ａ４，１６ｂ１，１６ｂ２，１６ｂ３，１６ｂ４，１６ｃ１，１６ｃ２，１６ｃ３，１６ｃ４，１６ｄ１，１６ｄ２，１６ｄ３，１６ｄ４  カメラ、  １７  外部モニタ、  １８，１０２  パーソナルコンピュータ（ＰＣ）、  １９  ネットワーク、  ２０  連携設定、  ２１ａ，２１ｂ，２１ｃ  ソフトウェア占有・展開領域、  ２２  連係情報、  １００  回線、  １０１  記録媒体、  １１１，１２１  第１の映像機器、  １１２，１２２  第２の映像機器、  １１３，１２３  第３の映像機器。
【図１】
0003810343.tif 000002
【図２】
0003810343.tif 000003
【図３】
0003810343.tif 000004
【図４】
0003810343.tif 000005
【図５】
0003810343.tif 000006
【図６】
0003810343.tif 000007
【図７】
0003810343.tif 000008
【図８】
0003810343.tif 000009
【図９】
0003810343.tif 000010
【図１０】
0003810343.tif 000011
【図１１】
0003810343.tif 000012
【図１２】
0003810343.tif 000013
【図１３】
0003810343.tif 000014
【図１４】
0003810343.tif 000015
【図１５】
0003810343.tif 000016
【図１６】
0003810343.tif 000017
【図１７】
0003810343.tif 000018
【図１８】
0003810343.tif 000019
【図１９】
0003810343.tif 000020
【図２０】
0003810343.tif 000021
【図２１】
0003810343.tif 000022
【図２２】
0003810343.tif 000023
【図２３】
0003810343.tif 000024
【図２４】
0003810343.tif 000025
【図２５】
0003810343.tif 000026
【図２６】
0003810343.tif 000027
【図２７】
0003810343.tif 000028
【図２８】
0003810343.tif 000029
【図２９】
0003810343.tif 000030
【図３０】
0003810343.tif 000031
【図３１】
0003810343.tif 000032
【図３２】
0003810343.tif 000033
【図３３】
0003810343.tif 000034
【図３４】
0003810343.tif 000035
【図３５】
0003810343.tif 000036
【図３６】
0003810343.tif 000037